(57)【要約】本発明は、無線通信システムに関し、多重アンテナを支援する無線通信システムにおいてダウンリンク参照信号を伝送する方法及び装置が開示される。一実施例に係る基地局が８以下のアンテナポートに対するチャネル状態情報参照信号を伝送する方法は、一般サイクリックプレフィックス構成を有するダウンリンクサブフレームのデータ領域上に、８以下のアンテナポートに対するチャネル状態情報参照信号を、所定のパターンに従ってマッピングするステップと、８以下のアンテナポートに対するチャネル状態情報参照信号がマッピングされたダウンリンクサブフレームを伝送するステップとを含み、所定のパターンは、８以下のアンテナポートに対するチャネル状態情報参照信号がダウンリンクサブフレームのデータ領域上の２  ＯＦＤＭシンボル上にマッピングされ、２  ＯＦＤＭシンボルのそれぞれにおいて４個の副搬送波位置の一つ以上にマッピングされることを定義する。【選択図】図４６
2013502139.tif 000002
【特許請求の範囲】
【請求項１】
基地局が８以下のアンテナポートに対するチャネル状態情報参照信号を伝送する方法であって、
拡張されたサイクリックプレフィックス（ＣＰ）構成を有するダウンリンクサブフレームのデータ領域上に、前記８以下のアンテナポートに対するチャネル状態情報参照信号を所定のパターンに従ってマッピングし、
前記８以下のアンテナポートに対するチャネル状態情報参照信号がマッピングされた前記ダウンリンクサブフレームを伝送すること、
を含み、
前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル状態情報参照信号伝送方法。
【請求項２】
前記所定のパターンで定義する前記２  ＯＦＤＭシンボルは、ＯＦＤＭシンボルインデックス４及び５、ＯＦＤＭシンボルインデックス７及び８、またはＯＦＤＭシンボルインデックス１０及び１１である、請求項１に記載のチャネル状態情報参照信号伝送方法。
【請求項３】
前記所定のパターンで定義する前記４個の副搬送波位置は、セルまたはセルグループ別に１または２副搬送波だけシフトする、請求項１に記載のチャネル状態情報参照信号伝送方法。
【請求項４】
前記チャネル状態情報参照信号は、前記２  ＯＦＤＭシンボルにわたって直交コードを用いてコード分割多重化（ＣＤＭ）される、請求項１に記載のチャネル状態情報参照信号伝送方法。
【請求項５】
前記基地局のアンテナポートの個数が２または４の場合に、前記所定のパターンで定義する位置の一部に前記チャネル状態情報参照信号がマッピングされる、請求項１に記載のチャネル状態情報参照信号伝送方法。
【請求項６】
前記２  ＯＦＤＭシンボルがＯＦＤＭシンボルインデックス４及び５の場合に、前記４個の副搬送波位置は、副搬送波インデックス０、３、６及び９、または副搬送波インデックス２、５、８及び１１であり、
前記２  ＯＦＤＭシンボルがＯＦＤＭシンボルインデックス７及び８の場合に、前記４個の副搬送波位置は、副搬送波インデックス０、３、６及び９、副搬送波インデックス１、４、７及び１０、または副搬送波インデックス２、５、８及び１１であり、
前記２  ＯＦＤＭシンボルがＯＦＤＭシンボルインデックス１０及び１１の場合に、前記４個の副搬送波位置は、副搬送波インデックス１、４、７及び１０、または副搬送波インデックス２、５、８及び１１である、請求項２に記載のチャネル状態情報参照信号伝送方法。
【請求項７】
前記８以下のアンテナポートに対するチャネル状態情報参照信号は、２個のアンテナポートに対するチャネル状態情報参照信号が一つのグループを構成して総４個のグループを形成し、
前記４個のグループのそれぞれにおいて２個のアンテナポートに対するチャネル状態情報参照信号は、前記２  ＯＦＤＭシンボル上の同一の副搬送波位置においてコード分割多重化（ＣＤＭ）方式で多重化され、
前記４個のグループのそれぞれは、互いに異なる副搬送波位置において周波数分割多重化（ＦＤＭ）方式で多重化される、請求項１に記載のチャネル状態情報参照信号伝送方法。
【請求項８】
端末が基地局からの８以下のアンテナポートに対するチャネル状態情報参照信号を用いてチャネルを推定する方法であって、
前記８以下のアンテナポートに対するチャネル状態情報参照信号が所定のパターンに従ってデータ領域上にマッピングされた、拡張されたサイクリックプレフィックス（ＣＰ）構成を有するダウンリンクサブフレームを受信し、
前記チャネル状態情報参照信号を用いてチャネルを推定すること、
を含み、
前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル推定方法。
【請求項９】
前記所定のパターンで定義する前記２  ＯＦＤＭシンボルは、ＯＦＤＭシンボルインデックス４及び５、ＯＦＤＭシンボルインデックス７及び８、またはＯＦＤＭシンボルインデックス１０及び１１である、請求項８に記載のチャネル推定方法。
【請求項１０】
前記所定のパターンで定義する前記４個の副搬送波位置は、セルまたはセルグループ別に１または２副搬送波だけシフトする、請求項８に記載のチャネル推定方法。
【請求項１１】
前記チャネル状態情報参照信号は、前記２  ＯＦＤＭシンボルにわたって直交コードを用いてコード分割多重化（ＣＤＭ）される、請求項８に記載のチャネル推定方法。
【請求項１２】
前記基地局のアンテナポートの個数が２または４の場合に、前記所定のパターンで定義する位置の一部に前記チャネル状態情報参照信号がマッピングされる、請求項８に記載のチャネル推定方法。
【請求項１３】
前記２  ＯＦＤＭシンボルがＯＦＤＭシンボルインデックス４及び５の場合に、前記４個の副搬送波位置は、副搬送波インデックス０、３、６及び９、または副搬送波インデックス２、５、８及び１１であり、
前記２  ＯＦＤＭシンボルがＯＦＤＭシンボルインデックス７及び８の場合に、前記４個の副搬送波位置は、副搬送波インデックス０、３、６及び９、副搬送波インデックス１、４、７及び１０、または副搬送波インデックス２、５、８及び１１であり、
前記２  ＯＦＤＭシンボルがＯＦＤＭシンボルインデックス１０及び１１の場合に、前記４個の副搬送波位置は、副搬送波インデックス１、４、７及び１０、または副搬送波インデックス２、５、８及び１１である、請求項９に記載のチャネル推定方法。
【請求項１４】
前記８以下のアンテナポートに対するチャネル状態情報参照信号は、２個のアンテナポートに対するチャネル状態情報参照信号が一つのグループを構成して総４個のグループを形成し、
前記４個のグループのそれぞれにおいて２個のアンテナポートに対するチャネル状態情報参照信号は、前記２  ＯＦＤＭシンボル上の同一の副搬送波位置においてコード分割多重化（ＣＤＭ）方式で多重化され、
前記４個のグループのそれぞれは、互いに異なる副搬送波位置において周波数分割多重化（ＦＤＭ）方式で多重化される、請求項８に記載のチャネル推定方法。
【請求項１５】
８以下のアンテナポートに対するチャネル状態情報参照信号を伝送する基地局であって、
端末からアップリンク信号を受信する受信モジュールと、
前記端末にダウンリンク信号を伝送する伝送モジュールと、
前記受信モジュール及び前記伝送モジュールを含む前記基地局を制御するプロセッサと、
を含み、
前記プロセッサは、
拡張されたサイクリックプレフィックス（ＣＰ）構成を有するダウンリンクサブフレームのデータ領域上に、前記８以下のアンテナポートに対するチャネル状態情報参照信号を所定のパターンに従ってマッピングし、
前記伝送モジュールを介して、前記８以下のアンテナポートに対するチャネル状態情報参照信号がマッピングされた前記ダウンリンクサブフレームを伝送するように制御し、
前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル状態情報参照信号伝送基地局。
【請求項１６】
基地局からの８以下のアンテナポートに対するチャネル状態情報参照信号を用いてチャネルを推定する端末であって、
前記基地局からダウンリンク信号を受信する受信モジュールと、
前記基地局にアップリンク信号を伝送する伝送モジュールと、
前記受信モジュール及び前記伝送モジュールを含む前記基地局を制御するプロセッサと、
を含み、
前記プロセッサは、
前記受信モジュールを介して、前記８以下のアンテナポートに対するチャネル状態情報参照信号が所定のパターンに従ってデータ領域上にマッピングされた、拡張されたサイクリックプレフィックス（ＣＰ）構成を有するダウンリンクサブフレームを受信し、
前記チャネル状態情報参照信号を用いてチャネルを推定するように制御し、
前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル推定端末。
【発明の詳細な説明】
【技術分野】
【０００１】
以下の説明は、無線通信システムに係り、特に、多重アンテナを支援する無線通信システムにおいてダウンリンク参照信号を伝送する方法及び装置に関するものである。
【背景技術】
【０００２】
多重入出力（Ｍｕｌｔｉｐｌｅ  Ｉｎｐｕｔ  Ｍｕｌｔｉｐｌｅ  Ｏｕｔｐｕｔ；ＭＩＭＯ）システムとは、多重送信アンテナと多重受信アンテナを用いてデータの送受信効率を向上させるシステムのことをいう。ＭＩＭＯ技術には、空間ダイバーシティ（Ｓｐａｔｉａｌ  ｄｉｖｅｒｓｉｔｙ）手法と空間多重化（Ｓｐａｔｉａｌ  ｍｕｌｔｉｐｌｅｘｉｎｇ）手法とがある。空間ダイバーシティ手法は、ダイバーシティ利得（ｇａｉｎ）を用いて伝送信頼度（ｒｅｌｉａｂｉｌｉｔｙ）を高めたりセル半径を広げることができるため、高速で移動する端末に対するデータ伝送に適している。空間多重化手法は、互いに異なるデータを同時に伝送することによって、システムの帯域幅を増加させることなくデータ転送率を増大させることができる。
【０００３】
ＭＩＭＯシステムでは、それぞれの送信アンテナごとに独立したデータチャネルを有する。送信アンテナは、仮想アンテナ（ｖｉｒｔｕａｌ  ａｎｔｅｎｎａ）または物理アンテナ（ｐｈｙｓｉｃａｌ  ａｎｔｅｎｎａ）を意味することができる。受信機は、送信アンテナのそれぞれに対してチャネルを推定して、各送信アンテナから送信されるデータを受信する。チャネル推定（ｃｈａｎｎｅｌ  ｅｓｔｉｍａｔｉｏｎ）とは、フェーディング（ｆａｄｉｎｇ）に起因する信号の歪みを補償することによって、受信された信号を復元する過程のことをいう。ここでいうフェーディングは、無線通信システム環境で多重経路（ｍｕｌｔｉ  ｐａｔｈ）−時間遅延（ｔｉｍｅ  ｄｅｌａｙ）によって信号の強度が急に変動する現象を指す。チャネル推定のためには、送信機及び受信機の両方が知っている参照信号（ｒｅｆｅｒｅｎｃｅ  ｓｉｇｎａｌ）が必要である。また、参照信号は、ＲＳ（Ｒｅｆｅｒｅｎｃｅ  Ｓｉｇｎａｌ）とも略され、適用される標準によってパイロット（Ｐｉｌｏｔ）とも呼ばれる。
【０００４】
ダウンリンク参照信号（ｄｏｗｎｌｉｎｋ  ｒｅｆｅｒｅｎｃｅ  ｓｉｇｎａｌ）は、ＰＤＳＣＨ（Ｐｈｙｓｉｃａｌ  Ｄｏｗｎｌｉｎｋ  Ｓｈａｒｅｄ  ＣＨａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などのコヒーレント（ｃｏｈｅｒｅｎｔ）復調のためのパイロット信号である。ダウンリンク参照信号は、セル内の全ての端末が共有する共用参照信号（Ｃｏｍｍｏｎ  Ｒｅｆｅｒｅｎｃｅ  Ｓｉｇｎａｌ；ＣＲＳ）、及び特定端末のみのための専用参照信号（Ｄｅｄｉｃａｔｅｄ  Ｒｅｆｅｒｅｎｃｅ  Ｓｉｇｎａｌ；ＤＲＳ）がある。共用参照信号を、セル−特定（ｃｅｌｌ−ｓｐｅｃｉｆｉｃ）参照信号と呼ぶこともできる。また、専用参照信号を、端末−特定（ＵＥ−ｓｐｅｃｉｆｉｃ）参照信号と呼ぶこともできる。
【０００５】
４伝送アンテナを支援する既存の通信システム（例えば、ＬＴＥ  ｒｅｌｅａｓｅ（リリーズ）８または９標準に基づくシステム）に比べて拡張されたアンテナ構成を有するシステム（例えば、８伝送アンテナを支援するＬＴＥ−Ａ標準に基づくシステム）では、受信側でチャネル状態情報（Ｃｈａｎｎｅｌ  Ｓｔａｔｅ  Ｉｎｆｏｒｍａｔｉｏｎ；ＣＳＩ）を獲得するための参照信号、すなわち、ＣＳＩ−ＲＳの伝送が要求される。
【発明の概要】
【発明が解決しようとする課題】
【０００６】
本発明は、ＭＩＭＯ伝送においてＣＳＩ−ＲＳ伝送のオーバーヘッドを減少させ、ＣＳＩ−ＲＳによるチャネル推定性能を最適化するＣＳＩ−ＲＳ配置方案を提供することを技術的課題とする。
【課題を解決するための手段】
【０００７】
上記の技術的課題を解決するために、本発明の一実施例に係る、基地局が８以下のアンテナポートに対するチャネル状態情報参照信号を伝送する方法は、拡張されたサイクリックプレフィックス（ＣＰ）構成を有するダウンリンクサブフレームのデータ領域上に、前記８以下のアンテナポートに対するチャネル状態情報参照信号を所定のパターンに従ってマッピングし、前記８以下のアンテナポートに対するチャネル状態情報参照信号がマッピングされた前記ダウンリンクサブフレームを伝送すること、を含み、前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、前記所定のパターンで定義する前記４個の副搬送波位置は、３副搬送波間隔で配置されるとよい。
【０００８】
また、前記所定のパターンで定義する前記２  ＯＦＤＭシンボルは、ＯＦＤＭシンボルインデックス４及び５、ＯＦＤＭシンボルインデックス７及び８、またはＯＦＤＭシンボルインデックス１０及び１１でよい。
【０００９】
また、前記所定のパターンで定義する前記４個の副搬送波位置は、セルまたはセルグループ別に１または２副搬送波だけシフトするとよい。
【００１０】
また、前記チャネル状態情報参照信号は、前記２  ＯＦＤＭシンボルにわたって直交コードを用いてコード分割多重化（ＣＤＭ）されるとよい。
【００１１】
また、前記基地局のアンテナポートの個数が２または４の場合に、前記所定のパターンで定義する位置の一部に前記チャネル状態情報参照信号がマッピングされるとよい。
【００１２】
また、前記２  ＯＦＤＭシンボルがＯＦＤＭシンボルインデックス４及び５の場合に、前記４個の副搬送波位置は、副搬送波インデックス０、３、６及び９、または副搬送波インデックス２、５、８及び１１であり、前記２  ＯＦＤＭシンボルがＯＦＤＭシンボルインデックス７及び８の場合に、前記４個の副搬送波位置は、副搬送波インデックス０、３、６及び９、副搬送波インデックス１、４、７及び１０、または副搬送波インデックス２、５、８及び１１であり、前記２  ＯＦＤＭシンボルがＯＦＤＭシンボルインデックス１０及び１１の場合に、前記４個の副搬送波位置は、副搬送波インデックス１、４、７及び１０、または副搬送波インデックス２、５、８及び１１でよい。
【００１３】
また、前記８以下のアンテナポートに対するチャネル状態情報参照信号は、２個のアンテナポートに対するチャネル状態情報参照信号が一つのグループを構成して総４個のグループを形成し、前記４個のグループのそれぞれにおいて２個のアンテナポートに対するチャネル状態情報参照信号は、前記２  ＯＦＤＭシンボル上の同一の副搬送波位置においてコード分割多重化（ＣＤＭ）方式で多重化され、前記４個のグループのそれぞれは、互いに異なる副搬送波位置において周波数分割多重化（ＦＤＭ）方式で多重化されるとよい。
【００１４】
上記の技術的課題を解決するために、本発明の他の実施例に係る、端末が基地局からの８以下のアンテナポートに対するチャネル状態情報参照信号を用いてチャネルを推定する方法は、前記８以下のアンテナポートに対するチャネル状態情報参照信号が所定のパターンに従ってデータ領域上にマッピングされた、拡張されたサイクリックプレフィックス（ＣＰ）構成を有するダウンリンクサブフレームを受信し、前記チャネル状態情報参照信号を用いてチャネルを推定すること、を含み、前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、前記所定のパターンで定義する前記４個の副搬送波位置は、３副搬送波間隔で配置されるとよい。
【００１５】
前記所定のパターンで定義する前記２  ＯＦＤＭシンボルは、ＯＦＤＭシンボルインデックス４及び５、ＯＦＤＭシンボルインデックス７及び８、またはＯＦＤＭシンボルインデックス１０及び１１でよい。
【００１６】
また、前記所定のパターンで定義する前記４個の副搬送波位置は、セルまたはセルグループ別に１または２副搬送波だけシフトするとよい。
【００１７】
また、前記チャネル状態情報参照信号は、前記２  ＯＦＤＭシンボルにわたって直交コードを用いてコード分割多重化（ＣＤＭ）されるとよい。
【００１８】
また、前記基地局のアンテナポートの個数が２または４の場合に、前記所定のパターンで定義する位置の一部に前記チャネル状態情報参照信号がマッピングされるとよい。
【００１９】
また、前記２  ＯＦＤＭシンボルがＯＦＤＭシンボルインデックス４及び５の場合に、前記４個の副搬送波位置は、副搬送波インデックス０、３、６及び９、または副搬送波インデックス２、５、８及び１１であり、前記２  ＯＦＤＭシンボルがＯＦＤＭシンボルインデックス７及び８の場合に、前記４個の副搬送波位置は、副搬送波インデックス０、３、６及び９、副搬送波インデックス１、４、７及び１０、または副搬送波インデックス２、５、８及び１１であり、前記２  ＯＦＤＭシンボルがＯＦＤＭシンボルインデックス１０及び１１の場合に、前記４個の副搬送波位置は、副搬送波インデックス１、４、７及び１０、または副搬送波インデックス２、５、８及び１１でよい。
【００２０】
また、前記８以下のアンテナポートに対するチャネル状態情報参照信号は、２個のアンテナポートに対するチャネル状態情報参照信号が一つのグループを構成して総４個のグループを形成し、前記４個のグループのそれぞれにおいて２個のアンテナポートに対するチャネル状態情報参照信号は、前記２  ＯＦＤＭシンボル上の同一の副搬送波位置においてコード分割多重化（ＣＤＭ）方式で多重化され、前記４個のグループのそれぞれは、互いに異なる副搬送波位置において周波数分割多重化（ＦＤＭ）方式で多重化されるとよい。
【００２１】
上記の技術的課題を解決するために、本発明のさらに他の実施例に係る、８以下のアンテナポートに対するチャネル状態情報参照信号を伝送する基地局は、端末からアップリンク信号を受信する受信モジュールと、前記端末にダウンリンク信号を伝送する伝送モジュールと、前記受信モジュール及び前記伝送モジュールを含む前記基地局を制御するプロセッサと、を含み、前記プロセッサは、拡張されたサイクリックプレフィックス（ＣＰ）構成を有するダウンリンクサブフレームのデータ領域上に、前記８以下のアンテナポートに対するチャネル状態情報参照信号を所定のパターンに従ってマッピングし、前記伝送モジュールを介して、前記８以下のアンテナポートに対するチャネル状態情報参照信号がマッピングされた前記ダウンリンクサブフレームを伝送するように制御し、前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、前記所定のパターンで定義する前記４個の副搬送波位置は、３副搬送波間隔で配置されるとよい。
【００２２】
上記の技術的課題を解決するために、本発明のさらに他の実施例に係る、基地局からの８以下のアンテナポートに対するチャネル状態情報参照信号を用いてチャネルを推定する端末は、前記基地局からダウンリンク信号を受信する受信モジュールと、前記基地局にアップリンク信号を伝送する伝送モジュールと、前記受信モジュール及び前記伝送モジュールを含む前記基地局を制御するプロセッサと、を含み、前記プロセッサは、前記受信モジュールを介して、前記８以下のアンテナポートに対するチャネル状態情報参照信号が所定のパターンに従ってデータ領域上にマッピングされた、拡張されたサイクリックプレフィックス（ＣＰ）構成を有するダウンリンクサブフレームを受信し、前記チャネル状態情報参照信号を用いてチャネルを推定するように制御し、前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、前記所定のパターンで定義する前記４個の副搬送波位置は、３副搬送波間隔で配置されるとよい。
【００２３】
本発明について上述した一般的な説明と後述する詳細な説明はいずれも例示的なもので、請求項に記載の発明についてのさらなる説明のためのものである。
【発明の効果】
【００２４】
上記のような本発明の各実施形態によれば、ＭＩＭＯ伝送においてＣＳＩ−ＲＳ伝送のオーバーヘッドを減らし、ＣＳＩ−ＲＳによるチャネル推定性能を最適化する方法及び装置を提供することが可能になる。
【００２５】
本発明から得られる効果は、以上に言及した効果に制限されるものではなく、言及していない他の効果は、下の記載から、本発明の属する技術の分野における通常の知識を有する者には明確に理解されるであろう。
【図面の簡単な説明】
【００２６】
【図１】多重アンテナを備えている送信機の構造を示すブロック図である。
【図２】ダウンリンク無線フレームの構造を示す図である。
【図３】１ダウンリンクスロットに対するリソースグリッド（ｒｅｓｏｕｒｃｅ  ｇｒｉｄ）の一例を示す図である。
【図４】ダウンリンクサブフレームの構造を示す図である。
【図５】一般ＣＰの場合に、ダウンリンクセル−特定参照信号がマッピングされるリソース要素を示す図である。
【図６】拡張されたＣＰの場合に、ウンリンクセル−特定参照信号がマッピングされるリソース要素を示す図である。
【図７】１リソースブロックにおけるＣＲＳ及びＤＲＳの配置パターンの一例を示す図である。
【図８】ＦＤＭ、ＴＤＭ及び／またはＣＤＭ方式でＣＳＩ−ＲＳを配置する方案を説明するための図である。
【図９】ＣＳＩ−ＲＳパターンの様々な実施例を示す図である。
【図１０】ＣＳＩ−ＲＳパターンの様々な実施例を示す図である。
【図１１】ＣＳＩ−ＲＳパターンの様々な実施例を示す図である。
【図１２】ＣＳＩ−ＲＳパターンの様々な実施例を示す図である。
【図１３】ＦＤＭ、ＴＤＭ及び／またはＣＤＭ方式でＣＳＩ−ＲＳを配置する方案を説明するための図である。
【図１４】ＣＳＩ−ＲＳパターンの様々な実施例を示す図である。
【図１５】ＣＳＩ−ＲＳパターンの様々な実施例を示す図である。
【図１６】ＣＳＩ−ＲＳパターンの様々な実施例を示す図である。
【図１７】ＣＳＩ−ＲＳパターンの様々な実施例を示す図である。
【図１８】ＣＳＩ−ＲＳパターンの様々な実施例を示す図である。
【図１９】ＣＳＩ−ＲＳパターンの様々な実施例を示す図である。
【図２０】ＣＳＩ−ＲＳパターンの様々な実施例を示す図である。
【図２１】ＣＳＩ−ＲＳパターンの様々な実施例を示す図である。
【図２２】ＣＳＩ−ＲＳパターンの様々な実施例を示す図である。
【図２３】ＣＳＩ−ＲＳパターンの様々な実施例を示す図である。
【図２４】ＣＳＩ−ＲＳパターンの様々な実施例を示す図である。
【図２５】ＣＳＩ−ＲＳパターンの様々な実施例を示す図である。
【図２６】ＣＳＩ−ＲＳパターンの様々な実施例を示す図である。
【図２７】ＣＳＩ−ＲＳパターンの様々な実施例を示す図である。
【図２８】ＣＳＩ−ＲＳパターンの様々な実施例を示す図である。
【図２９】ＣＳＩ−ＲＳパターンの様々な実施例を示す図である。
【図３０】ＣＳＩ−ＲＳパターンの様々な実施例を示す図である。
【図３１】ＣＳＩ−ＲＳパターンの様々な実施例を示す図である。
【図３２】ＣＳＩ−ＲＳパターンの様々な実施例を示す図である。
【図３３】ＣＳＩ−ＲＳパターンの様々な実施例を示す図である。
【図３４】ＣＳＩ−ＲＳパターンの様々な実施例を示す図である。
【図３５】ＣＳＩ−ＲＳパターンの様々な実施例を示す図である。
【図３６】ＣＳＩ−ＲＳパターンの様々な実施例を示す図である。
【図３７】ＣＳＩ−ＲＳパターンの周波数シフト及び種々の多重化方式を説明するための図である。
【図３８】ＣＳＩ−ＲＳパターンの周波数シフト及び種々の多重化方式を説明するための図である。
【図３９】ＣＳＩ−ＲＳパターンを決定する上で考慮すべき他の参照信号のパターンを示す図である。
【図４０】１  ＯＦＤＭシンボル上に割り当てられるＣＳＩ−ＲＳのパターンの実施例を示す図である。
【図４１】２  ＯＦＤＭシンボル上に割り当てられるＣＳＩ−ＲＳのパターンの実施例を示す図である。
【図４２】ＣＳＩ−ＲＳパターンの周波数シフトの実施例を示す図である。
【図４３】２  ＯＦＤＭシンボル上に割り当てられるＣＳＩ−ＲＳパターンの周波数領域上位置の実施例を示す図である。
【図４４】２  ＯＦＤＭシンボル上に割り当てられるＣＳＩ−ＲＳパターンの周波数領域上位置の実施例を示す図である。
【図４５】２  ＯＦＤＭシンボル上に割り当てられるＣＳＩ−ＲＳパターンの周波数領域上位置の実施例を示す図である。
【図４６】２  ＯＦＤＭシンボル上に割り当てられるＣＳＩ−ＲＳパターンの周波数領域上位置の実施例を示す図である。
【図４７】ＣＳＩ−ＲＳの割り当てられる２  ＯＦＤＭシンボルの時間領域上位置を示す図である。
【図４８】２  ＯＦＤＭシンボル上に割り当てられるＣＳＩ−ＲＳパターンの周波数領域上位置の実施例を示す図である。
【図４９】ＣＳＩ−ＲＳの割り当てられる２  ＯＦＤＭシンボルの時間領域上位置を示す図である。
【図５０】本発明に係る基地局装置及び端末装置を含む無線通信システムの好適な実施例の構成を示す図である。
【発明を実施するための形態】
【００２７】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００２８】
本明細書では、本発明の実施例を、基地局と端末との間におけるデータ送受信の関係を中心に説明する。ここで、基地局は、端末と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００２９】
すなわち、基地局を含む多数のネットワークノード（ｎｅｔｗｏｒｋ  ｎｏｄｅｓ）からなるネットワークにおいて、端末との通信のために行われる種々の動作は、基地局または基地局以外の他のネットワークノードにより行われうるということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。中継機は、リレーノード（Ｒｅｌａｙ  Ｎｏｄｅ、ＲＮ）、リレーステーション（Ｒｅｌａｙ  Ｓｔａｔｉｏｎ、ＲＳ）などの用語に代えてもよい。「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００３０】
以下の説明で使われる特定用語は、本発明の理解を助けるために提供されたもので、これらの特定用語の使用は、本発明の技術的思想から逸脱することなく他の形態に変更可能である。
【００３１】
場合によっては、本発明の概念が曖昧になることを避けるために、公知の構造及び装置は省略されたり、各構造及び装置の核心機能を中心にしたブロック図の形式で示されることがある。また、本明細書全体を通じて同一の構成要素には同一の図面符号を付して説明する。
【００３２】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることかできる。すなわち、本発明の実施例において本発明の技術的思想を明確にするために説明しない段階または部分を、上記の標準文書でサーポートすることができる。なお、本文書で開示している全ての用語は、上記の標準文書により説明することができる。
【００３３】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現できる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現できる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術で具現できる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進展したＩＥＥＥ  ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では、３ＧＰＰ  ＬＴＥ及びＬＴＥ−Ａ標準を中心に説明するが、本発明の技術的思想はこれに制限されない。
【００３４】
以下、ＭＩＭＯ伝送において「ランク（Ｒａｎｋ）」は、独立して信号を伝送できる経路の数を表し、‘レイヤー（ｌａｙｅｒ）の個数」は、各経路を通じて伝送される信号ストリームの個数を表す。一般に、送信端は信号伝送に用いられるランク数に対応する個数のレイヤーを伝送するため、特に言及しない限り、ランクはレイヤー個数と同じ意味を有する。
【００３５】
図１は、多重アンテナを備えている送信機の構造を示すブロック図である。
【００３６】
図１を参照すると、送信機１００は、エンコーダ１１０−１，…，１１０−Ｋ、変調マッパー１２０−１，…，１２０−Ｋ、レイヤーマッパー１３０、プリコーダ１４０、リソース要素マッパー（ｒｅｓｏｕｒｃｅ  ｅｌｅｍｅｎｔ  ｍａｐｐｅｒ）１５０−１，…，１５０−Ｋ、及びＯＦＤＭ信号発生器１６０−１，…，１６０−Ｋを含む。送信機１００は、Ｎｔ個の送信アンテナ１７０−１，…，１７０−Ｎｔを含む。
【００３７】
エンコーダ１１０−１，…，１１０−Ｋは、入力されるデータを、定められたコーディング方式によってエンコーディングし、符号化したデータ（ｃｏｄｅｄ  ｄａｔａ）を形成する。変調マッパー１２０−１，…，１２０−Ｋは、符号化したデータを信号コンステレーション（ｓｉｇｎａｌ  ｃｏｎｓｔｅｌｌａｔｉｏｎ）上の位置を表現する変調シンボルにマッピングする。変調方式（ｍｏｄｕｌａｔｉｏｎ  ｓｃｈｅｍｅ）は、特に制限されず、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）でよい。例えば、ｍ−ＰＳＫは、ＢＰＳＫ、ＱＰＳＫまたは８−ＰＳＫでよい。ｍ−ＱＡＭは、１６−ＱＡＭ、６４−ＱＡＭまたは２５６−ＱＡＭでよい。
【００３８】
レイヤーマッパー１３０は、プリコーダ１４０がアンテナ特定シンボル（ａｎｔｅｎｎａ−ｓｐｅｃｉｆｉｃ  ｓｙｍｂｏｌ）を各アンテナの経路に分配できるように変調シンボルのレイヤーを定義する。レイヤーは、プリコーダ１４０に入力される情報経路（ｉｎｆｏｒｍａｔｉｏｎ  ｐａｔｈ）と定義される。プリコーダ１４０以前の情報経路を仮想アンテナ（ｖｉｒｔｕａｌ  ａｎｔｅｎｎａ）またはレイヤーと見なすことができる。
【００３９】
プリコーダ１４０は、変調シンボルを多重送信アンテナ１７０−１，…，１７０−Ｎｔに基づくＭＩＭＯ方式で処理し、アンテナ特定シンボルを出力する。プリコーダ１４０は、アンテナ特定シンボルを、該当のアンテナの経路のリソース要素マッパー１５０−１，…，１５０−Ｋに分配する。プリコーダ１４０により一つのアンテナに送られる各情報経路を、ストリーム（ｓｔｒｅａｍ）という。これを物理的アンテナ（ｐｈｙｓｉｃａｌ  ａｎｔｅｎｎａ）と見なすことができる。
【００４０】
リソース要素マッパー１５０−１，…，１５０−Ｋは、アンテナ特定シンボルを、適切なリソース要素（ｒｅｓｏｕｒｃｅ  ｅｌｅｍｅｎｔ）に割り当て、ユーザーに応じて多重化する。ＯＦＤＭ信号発生器１６０−１，…，１６０−Ｋは、アンテナ特定シンボルをＯＦＤＭ方式で変調し、ＯＦＤＭシンボルを出力する。ＯＦＤＭ信号発生器１６０−１，…，１６０−Ｋは、アンテナ特定シンボルにＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴの行なわれた時間領域シンボルには、サイクリックプレフィックス（ｃｙｃｌｉｃ  ｐｒｅｆｉｘ；ＣＰ）を挿入することができる。ＣＰは、ＯＦＤＭ伝送方式において多重経路によるシンボル間干渉（ｉｎｔｅｒ−ｓｙｍｂｏｌ  ｉｎｔｅｒｆｅｒｅｎｃｅ）を除去するために、保護区間（ｇｕａｒｄ  ｉｎｔｅｒｖａｌ）に挿入される信号である。ＯＦＤＭシンボルは、各送信アンテナ１７０−１，…，１７０−Ｎｔから送信される。
【００４１】
図２には、ダウンリンク無線フレームの構造を示す。図２を参照すると、ダウンリンク無線フレーム（ｒａｄｉｏ  ｆｒａｍｅ）は、１０個のサブフレーム（ｓｕｂｆｒａｍｅ）で構成され、１サブフレームは、２個のスロット（ｓｌｏｔ）で構成される。ダウンリンク無線フレームは、ＦＤＤ（ｆｒｅｑｕｅｎｃｙ  ｄｉｖｉｓｉｏｎ  ｄｕｐｌｅｘ）またはＴＤＤ（ｔｉｍｅ  ｄｉｖｉｓｉｏｎ  ｄｕｐｌｅｘ）によって構成することができる。１サブフレームが伝送されるのにかかる時間をＴＴＩ（ｔｒａｎｓｍｉｓｓｉｏｎ  ｔｉｍｅ  ｉｎｔｅｒｖａｌ）といい、例えば、１サブフレームの長さは１ｍｓで、１スロットの長さは０．５ｍｓである。１スロットは、時間領域（ｔｉｍｅ  ｄｏｍａｉｎ）で複数のＯＦＤＭシンボルを含み、周波数領域で複数のリソースブロック（Ｒｅｓｏｕｒｃｅ  Ｂｌｏｃｋ；ＲＢ）を含む。
【００４２】
１スロットに含まれるＯＦＤＭシンボルの数は、ＣＰの構成（ｃｏｎｆｉｇｕｒａｔｉｏｎ）によって異なることがある。ＣＰには、拡張されたＣＰ（ｅｘｔｅｎｄｅｄ  ＣＰ）及び一般ＣＰ（ｎｏｒｍａｌ  ＣＰ）がある。例えば、ＯＦＤＭシンボルが一般ＣＰで構成された場合、１スロットに含まれるＯＦＤＭシンボルの数は７個でよい。ＯＦＤＭシンボルが、拡張されたＣＰで構成される場合、１  ＯＦＤＭシンボルの長さが増えるから、１スロットに含まれるＯＦＤＭシンボルの数は、一般ＣＰの場合に比べて少ない。拡張されたＣＰの場合に、例えば、１スロットに含まれるＯＦＤＭシンボルの数は６個でよい。端末が高速で移動するなどしてチャネル状態が不安定な場合、シンボル間干渉を一層減らすために、拡張されたＣＰを用いることができる。
【００４３】
一般ＣＰが用いられる場合は、１スロットが７個のＯＦＤＭシンボルを含み、１サブフレームは１４個のＯＦＤＭシンボルを含む。この場合、各サブフレームの先頭２個または３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てられることが可能である。
【００４４】
無線フレームの構造は例示に過ぎなく、無線フレームに含まれるサブフレームの数、サブフレームに含まれるスロットの数、スロットに含まれるシンボルの数は、種々に変更可能である。
【００４５】
図３は、１ダウンリンクスロットに対するリソースグリッド（ｒｅｓｏｕｒｃｅ  ｇｒｉｄ）の一例を示す図である。これは、ＯＦＤＭシンボルが一般ＣＰで構成された場合である。図３を参照すると、ダウンリンクスロットは、時間領域において複数のＯＦＤＭシンボルを含み、周波数領域において複数のリソースブロック（ｒｅｓｏｕｒｃｅ  ｂｌｏｃｋ；ＲＢ）を含む。ここで、１ダウンリンクスロットは、７  ＯＦＤＭシンボルを含み、１リソースブロックは、１２副搬送波（ｓｕｂｃａｒｒｉｅｒ）を含むとするが、これに制限されるものではない。リソースグリッド上の各要素（ｅｌｅｍｅｎｔ）をリソース要素（ＲＥ）という。例えば、リソース要素ａ（ｋ，ｌ）は、ｋ番目の副搬送波とｌ番目のＯＦＤＭシンボルに位置しているリソース要素となる。一般ＣＰの場合に、１リソースブロックは１２×７リソース要素を含む（拡張されたＣＰの場合は、１２×６リソース要素を含む）。各副搬送波の間隔は１５ｋＨｚであるから、１リソースブロックは、周波数領域で約１８０ｋＨｚを含む。ＮＤＬは、ダウンリンクスロットに含まれるリソースブロックの数である。ＮＤＬの値は、基地局のスケジューリングにより設定されるダウンリンク伝送帯域幅（ｂａｎｄｗｉｄｔｈ）に基づいて決定することができる。
【００４６】
図４は、ダウンリンクサブフレームの構造を示す図である。一つのサブフレームの１番目のスロットにおいて先頭の最大３個のＯＦＤＭシンボルが、制御チャネルの割り当てられる制御領域に該当する。残りＯＦＤＭシンボルは、物理ダウンリンク共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）の割り当てられるデータ領域に該当する。伝送の基本単位は、１サブフレームとなる。すなわち、２スロットにわたってＰＤＣＣＨ及びＰＤＳＣＨが割り当てられる。３ＧＰＰ  ＬＴＥシステムで用いられるダウンリンク制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ；ＰＨＩＣＨ）などがある。ＰＣＦＩＣＨは、サブフレームの１番目のＯＦＤＭシンボルで伝送され、サブフレーム内の制御チャネル伝送に用いられるＯＦＤＭシンボルの個数に関する情報を含む。ＰＨＩＣＨは、アップリンク伝送の応答としてＨＡＲＱ  ＡＣＫ／ＮＡＣＫ信号を含む。ＰＤＣＣＨを通じて伝送される制御情報を、ダウンリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、アップリンクまたはダウンリンクスケジューリング情報を含んだり、任意の端末グループに対するアップリンク伝送電力制御命令を含む。ＰＤＣＣＨは、ダウンリンク共有チャネル（ＤＬ−ＳＣＨ）のリソース割当及び伝送フォーマット、アップリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上に伝送されるランダムアクセス応答（Ｒａｎｄｏｍ  Ａｃｃｅｓｓ  Ｒｅｓｐｏｎｓｅ）のような上位層制御メッセージのリソース割当、任意の端末グループ中の個別端末に対する伝送電力制御命令のセット、伝送電力制御情報、ＶｏＩＰ（Ｖｏｉｃｅ  ｏｖｅｒ  ＩＰ）の活性化などを含むことができる。複数のＰＤＣＣＨが制御領域内で伝送されることがある。端末は、複数のＰＤＣＣＨをモニタリングできる。ＰＤＣＣＨは、一つ以上の連続した制御チャネル要素（Ｃｏｎｔｒｏｌ  Ｃｈａｎｎｅｌ  Ｅｌｅｍｅｎｔ；ＣＣＥ）の組み合わせで伝送される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマットと利用可能なビット数は、ＣＣＥの個数とＣＣＥにより提供されるコーディングレートとの相関関係に基づいて決定される。基地局は、端末に伝送されるＤＣＩに基づいてＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者または用途によって無線ネットワーク臨時識別子（Ｒａｄｉ���  Ｎｅｔｗｏｒｋ  Ｔｅｍｐｏｒａｒｙ  Ｉｄｅｎｔｉｆｉｅｒ；ＲＮＴＩ）という識別子でマスキングされる。ＰＤＣＣＨが特定端末に対するものであれば、端末のｃｅｌｌ−ＲＮＴＩ（Ｃ−ＲＮＴＩ）識別子がＣＲＣにマスキングされ、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）がＣＲＣにマスキングされ、ＰＤＣＣＨがシステム情報（より具体的に、システム情報ブロック（ＳＩＢ））に関するものであれば、システム情報識別子及びシステム情報ＲＮＴＩ（ＳＩ−ＲＮＴＩ）がＣＲＣにマスキングされるとよい。端末のランダムアクセスプリアンブルの伝送に対する応答であるランダムアクセス応答を表すために、ランダムアクセス−ＲＮＴＩ（ＲＡ−ＲＮＴＩ）がＣＲＣにマスキングされてもよい。
【００４７】
（共用参照信号（ＣＲＳ））
図５及び６を参照して、セル−特定参照信号、すなわち、共用参照信号（ＣＲＳ）がリソースブロック上に配置されるパターンについて説明する。
【００４８】
ＣＲＳは、物理アンテナ端のチャネルを推定するために用いられ、セル内に存在する全ての端末（ＵＥ）が共通に受信できる参照信号で、全帯域にわたって分布する。ＣＲＳは、チャネル状態情報（ＣＳＩ）獲得及びデータ復調の目的で用いることができる。
【００４９】
ＣＲＳは、送信側（基地局）のアンテナ構成にしたがって様々な形態のＣＲＳが定義される。３ＧＰＰ  ＬＴＥ（リリーズ−８）システムは、様々なアンテナ構成（Ａｎｔｅｎｎａ  ｃｏｎｆｉｇｕｒａｔｉｏｎ）を支援し、ダウンリンク信号送信側（基地局）は、単一アンテナ、２伝送アンテナ、４伝送アンテナを含む３種類のアンテナ構成を有する。基地局が単一アンテナ伝送をする場合は、単一アンテナポートのための参照信号が配置される。基地局が２アンテナ伝送をする場合は、２個のアンテナポートのための参照信号が、時間分割多重化（Ｔｉｍｅ  Ｄｉｖｉｓｉｏｎ  Ｍｕｌｔｉｐｌｅｘｉｎｇ）及び／または周波数分割多重化（Ｆｒｅｑｕｅｎｃｙ  Ｄｉｖｉｓｉｏｎ  Ｍｕｌｔｉｐｌｅｘｉｎｇ）方式で配置される。すなわち、２個のアンテナポートのための参照信号を、互いに異なる時間リソース及び／または互いに異なる周波数リソースに配置して、お互い区別することができる。また、基地局が４アンテナ伝送をする場合は、４個のアンテナポートのための参照信号がＴＤＭ／ＦＤＭ方式で配置される。ＣＲＳに基づいてダウンリンク信号受信側（端末）により推定されたチャネル情報を、単一アンテナ伝送（Ｓｉｎｇｌｅ  Ａｎｔｅｎｎａ  Ｔｒａｎｓｍｉｓｓｉｏｎ）、伝送ダイバーシティ（Ｔｒａｎｓｍｉｔ  ｄｉｖｅｒｓｉｔｙ）、閉−ループ空間多重化（Ｃｌｏｓｅｄ−ｌｏｏｐ  Ｓｐａｔｉａｌ  ｍｕｌｔｉｐｌｅｘｉｎｇ）、開−ループ空間多重化（Ｏｐｅｎ−ｌｏｏｐ  Ｓｐａｔｉａｌ  ｍｕｌｔｉｐｌｅｘｉｎｇ）、多重−ユーザー（Ｍｕｌｔｉ−Ｕｓｅｒ）ＭＩＭＯ（ＭＵ−ＭＩＭＯ）などの伝送手法で送信されたデータの復調のために用いることができる。
【００５０】
多重アンテナを支援する場合において、あるアンテナポートから参照信号を伝送する場合に、参照信号パターンに従って指定されたリソース要素（ＲＥ）位置に参照信号を伝送し、他のアンテナポートのために指定されたリソース要素（ＲＥ）位置にはいかなる信号も伝送しない。
【００５１】
ＣＲＳを用いたチャネル推定性能を高めるために、セル別にＣＲＳの周波数領域上の位置をシフト（ｓｈｉｆｔ）して異ならせることができる。例えば、参照信号が３副搬送波ごとに位置する場合に、一つのセルは３ｋの副搬送波上に、他のセルは３ｋ＋１の副搬送波上に配置させることができる。一つのアンテナポートの観点では、参照信号は周波数領域で６ＲＥ間隔（すなわち、６副搬送波間隔）で配置され、他のアンテナポートのための参照信号が配置されるＲＥとは周波数領域で３ＲＥ間隔を維持する。
【００５２】
時間領域において参照信号位置は各スロットの１番目のＯＦＤＭシンボル（シンボルインデックス０）を始点として一定の間隔で配置される。時間間隔は、ＣＰ長に従って別々に定義される。一般ＣＰの場合は、スロットの１番目及び５番目のＯＦＤＭシンボル（シンボルインデックス０及び４）に位置し、拡張されたＣＰの場合は、スロットの１番目及び４番目のＯＦＤＭシンボル（シンボルインデックス０及び３）に位置する。一つのＯＦＤＭシンボルには最大２個のアンテナポートのための参照信号のみが定義される。そのため、４伝送アンテナ伝送時に、アンテナポート０及び１のための参照信号は、スロットの１番目及び５番目のＯＦＤＭシンボル（拡張されたＣＰの場合は、１番目及び４番目のＯＦＤＭシンボル）に位置し、アンテナポート２及び３のための参照信号は、スロットの２番目のＯＦＤＭシンボルに位置する。ただし、アンテナポート２及び３のための参照信号の周波数位置は、２番目のスロットでは互いにスイッチングされる。
【００５３】
前述したようなＣＲＳの位置は、図５及び図６から確認できる。具体的に、図５は、一般ＣＰの場合に、ＣＲＳがマッピングされるリソース要素を示す。図５において、横軸は時間領域を、縦軸は周波数領域を表す。図５で表現されたリソース要素のマッピング単位は、時間領域において１サブフレーム（すなわち、２個のスロット）を構成するＯＦＤＭシンボルに対応し、周波数領域において１リソースブロックを構成する副搬送波に対応する。図５に示す時間−周波数領域内において、最小の四角形領域は、時間領域で１  ＯＦＤＭシンボル、周波数領域で１副搬送波に対応する領域であり、１  ＲＥに該当する。すなわち、１４  ＯＦＤＭシンボル×１２副搬送波で構成される１サブフレームにおける時間上連続する２リソースブロック（ＲＢ）のリソースブロック対（ＲＢ  Ｐａｉｒ）を基準にして参照信号がマッピングされるリソース要素を表すことができる。
【００５４】
図５に示しているＲ０乃至Ｒ３はそれぞれ、アンテナポート０乃至３のためのＣＲＳがマッピングされるリソース要素を表す。すなわち、Ｒｐは、アンテナポートインデックスｐ上での参照信号伝送がマッピングされるリソース要素を表す。前述したように、２アンテナポート及び４アンテナポートの場合に、１スロット内で一つのアンテナポートの参照信号がマッピングされるリソース要素は、そのスロット内で他のアンテナポートのいかなる伝送のためにも用いられない。
【００５５】
図６は、拡張されたＣＰの場合に、アンテナポート０乃至３のためのＣＲＳがマッピングされるリソース要素を示している。拡張されたＣＰの場合に、１サブフレームは１２  ＯＦＤＭシンボルで構成されるので、図９でリソース要素のマッピング単位は、１２  ＯＦＤＭシンボル×１２副搬送波領域と表現される。
【００５６】
３ＧＰＰ  ＬＴＥ（リリーズ−８）システムに比べてより高いスペクトル効率性（Ｓｐｅｃｔｒａｌ  Ｅｆｆｉｃｉｅｎｃｙ）を支援するために、拡張されたアンテナ構成を有するシステム（例えば、ＬＴＥ−Ａシステム）を設計できる。拡張されたアンテナ構成は、例えば、８個の伝送アンテナ構成でよい。このような拡張されたアンテナ構成を有するシステムにおいて、既存のアンテナ構成で動作する端末を支援、すなわち、下位互換性（ｂａｃｋｗａｒｄ  ｃｏｍｐａｔｉｂｉｌｉｔｙ）を支援する必要がある。したがって、既存のアンテナ構成による参照信号パターンを支援し、追加的なアンテナ構成に対する新しい参照信号パターンを設計する必要がある。ここで、既存のアンテナ構成を有するシステムに新しいアンテナポートのためのＣＲＳを追加すると、参照信号オーバーヘッドが急激に増加してデータ転送率が低下する問題につながる。このような事項を考慮して、新しいアンテナポートのためのチャネル状態情報（ＣＳＩ）測定のための参照信号を設計する必要があり、その具体的な方案については、ＤＲＳを説明した後に述べる。
【００５７】
（専用参照信号（ＤＲＳ））
参照信号のオーバーヘッドを減らすために、拡張されたアンテナ構成を有するシステムでは、追加されたアンテナを通したデータ伝送を支援するように、端末−特定参照信号、すなわち、専用参照信号（ＤＲＳ）を導入することを考慮することができる。
【００５８】
新しいアンテナポートのためのＤＲＳの設計に当たって、ＣＲＳのパターン、ＣＲＳの周波数シフト及び電力ブースティング（Ｐｏｗｅｒ  Ｂｏｏｓｔｉｎｇ）を考慮する必要がある。具体的に、ＣＲＳによるチャネル推定性能を高めるために、ＣＲＳの周波数シフト及び電力ブースティングが考慮される。周波数シフトは、前述したように、セル別にＣＲＳの始点を異なるように設定することを意味する。電力ブースティングは、１  ＯＦＤＭシンボルのＲＥのうち、参照信号のために割り当てられたＲＥ以外の他のＲＥから電力を持ってくることを意味する。一方、ＤＲＳは、ＣＲＳと異なる周波数間隔を有するように設計できるが、ＣＲＳとＤＲＳが同一ＯＦＤＭシンボル内に存在する場合に、前述したＣＲＳの周波数シフトによってＣＲＳとＤＲＳの位置が重なることがあり、ＣＲＳの電力ブースティングはＤＲＳ伝送に不利な影響を及ぼすことがある。
【００５９】
そのため、ＤＲＳとＣＲＳが互いに異なる周波数間隔を有するように設計される場合に、両参照信号は、互いに異なるＯＦＤＭシンボルに位置するように設計することが好ましい。具体的に、ＣＲＳは、一般ＣＰの場合に、１番目、２番目、５番目、８番目、９番目及び１２番目のＯＦＤＭシンボルに位置し、拡張されたＣＰの場合に、１番目、２番目、４番目、７番目、８番目及び１０番目のＯＦＤＭシンボルに位置する。
【００６０】
また、ＤＲＳは、データ復調のための参照信号であるから、データチャネルが割り当てられる領域に位置する。１サブフレームの１番目乃至３番目のＯＦＤＭシンボル（または１番目及び２番目のＯＦＤＭシンボル）は、ＰＤＣＣＨ（制御チャネル）のために用いられ、２番目（または３番目）のＯＦＤＭシンボルから最後のＯＦＤＭシンボルまではＰＤＳＣＨ（データチャネル）のために割り当てられる。
【００６１】
したがって、データチャネルの割り当てられる領域においてＣＲＳの割り当てられていない位置にＤＲＳを割り当てるとすれば、下記のようなＯＦＤＭシンボル位置にＤＲＳを配置することができる。
【００６２】
一般ＣＰの場合−（３番目）、４番目、６番目、７番目、１０番目、１１番目、１３番目及び１４番目のＯＦＤＭシンボル
拡張されたＣＰの場合−（３番目）、５番目、６番目、９番目、１１番目及び１２番目のＯＦＤＭシンボル
ＤＲＳの割り当てられていないＲＥのチャネル推定情報は、ＤＲＳの割り当てられている周辺ＲＥのチャネル推定情報から補間法（Ｉｎｔｅｒｐｏｌａｔｉｏｎ）によって獲得できる。時間領域での補間を考慮すると、各ＲＳは、データチャネルの両端部分、すなわち、１サブフレームの４番目及び１４番目（拡張されたＣＰの場合は、５番目及び１２番目）に位置することが好ましい。しかし、端末の移動などによるドップラー効果によりチャネルが時変（ｔｉｍｅ−ｖａｒｙｉｎｇ）しても、１〜２  ＯＦＤＭシンボル内では大きく変わらないから、ＤＲＳが、データチャネルの両端ＯＦＤＭシンボルではなく、その内側のＯＦＤＭシンボルに位置しても、チャネル推定によるデータ伝送性能は大きく変わらない。
【００６３】
多重アンテナ伝送を考慮すると、それぞれのアンテナポート（またはレイヤー）に対する参照信号を時間分割多重化（ＴＤＭ）、周波数分割多重化（ＦＤＭ）及び／またはコード分割多重化（ＣＤＭ）方式で多重化できる。すなわち、それぞれのアンテナポートに対する参照信号を、互いに異なる時間リソースまたは周波数リソースに配置することによって区別したり、それぞれのアンテナポートに対する参照信号が同一の時間リソースまたは周波数リソースに配置されても、互いに異なるコードリソースを用いて区別することができる。
【００６４】
多重アンテナ伝送において、隣接しているＯＦＤＭシンボルでＣＤＭまたはＴＤＭを用いて各アンテナポートのための参照信号を伝送することができる。２  ＯＦＤＭシンボルを用いてＣＤＭ伝送をする場合に、２  ＯＦＤＭシンボルは隣接することが好ましく、隣接しない場合は最大１個のＯＦＤＭシンボル間隔を有することが好ましい。４個のＯＦＤＭシンボルを用いてＣＤＭ伝送をする場合は、チャネルが時間的に変わらない状況で用いなければならない。この場合、同一の周波数位置及び互いに異なるＯＦＤＭシンボルに存在する参照信号を用いてＣＤＭ伝送を行うことができる。
【００６５】
一方、周波数領域上にＤＲＳを割り当てる際に考慮すべき事項について説明する。まず、ＤＲＳを周波数領域に割り当てる時は、可能なかぎり、割り当てられたリソースの端部に配置させることが、チャネル推定性能に役立つ。周波数領域上で９０％コヒーレント（ｃｏｈｅｒｅｎｔ）帯域幅（ＢＣ，９０）は数式１によって、５０％コヒーレント帯域幅（ＢＣ，５０）は数式２によって決定できる。
【００６６】
【数１】
2013502139.tif 000003
【００６７】
【数２】
2013502139.tif 000004
数式１及び２で、στは遅延拡散（ｄｅｌａｙ  ｓｐｒｅａｄ）の実効値（Ｒｏｏｔ  Ｍｅａｎ  Ｓｑｕａｒｅ；ＲＭＳ）である。
【００６８】
ｅＴＵ（ｅｘｔｅｎｄｅｄ  Ｔｙｐｉｃａｌ  Ｕｒｂａｎ）チャネル環境においてστは約０．５μｓである。数式１によれば、９０％コヒーレント帯域幅は約１０ｋＨｚとなり、数式２によれば、５０％コヒーレント帯域幅は約１００ｋＨｚとなる。１  ＲＥの周波数帯域幅は１５ｋＨｚであるから、９０％コヒーレント帯域幅は約１  ＲＥ間隔、５０％コヒーレント帯域幅は約６  ＲＥ間隔となる。したがって、チャネル推定において、参照信号の補間法（Ｉｎｔｅｒｐｏｌａｔｉｏｎ）を行うために、参照信号間の間隔は、周波数領域で６  ＲＥ未満、補外法（Ｅｘｔｒａｐｏｌａｔｉｏｎ）を行うためには１  ＲＥにすることが好ましい。
【００６９】
１リソースブロックをデータ伝送の最小単位とする場合、ＤＲＳを１リソースブロック内の周波数領域で１２  ＲＥに均一に配置することを考慮すると、リソースブロックの各端部に参照信号を配置し、リソースブロックの中間に参照信号を配置する構造を考えることができる。例えば、１  ＯＦＤＭシンボルで周波数領域上の１番目、６番目及び１１番目のＲＥ（または２番目、７番目及び１２番目のＲＥ）に参照信号を配置させることができる。このような構造は、效率的に参照信号を使用しながら補間法を效果的に行うことができる利点があり、１２番目（または１番目）のＲＥは、１１番目（または２番目）のＲＥと９０％コヒーレント帯域幅内にあるため、補外（Ｅｘｔｒａｐｏｌａｔｉｏｎ）されたチャネルや隣接ＲＥのチャネルを複製（ｃｏｐｙ）して使用しても性能に大差はない。
【００７０】
一方、ＤＲＳは、データ伝送に用いられるプリコーディング重み値（Ｐｒｅｃｏｄｉｎｇ  ｗｅｉｇｈｔ）と同じ重み値を用いて伝送され、伝送レイヤー（アンテナポート）の数によって参照信号の密度が変わることがある。
【００７１】
図７は、上述した設計基準に基づく１  リソースブロック（１４  ＯＦＤＭシンボル×１２副搬送波）においてＣＲＳ及びＤＲＳの配置パターンの一例を示す図である。
【００７２】
図７に示すＣＲＳは、アンテナポートインデックス０乃至３を支援するための参照信号位置を全て表示したが、それらのうち、一部のアンテナポートのみが用いられてもよい。例えば、アンテナポートインデックス０乃至１（２伝送アンテナ）のためのＣＲＳのみ用いられることもあり、アンテナポートインデックス０（単一伝送アンテナ）のためのＣＲＳのみ用いられることもある。
【００７３】
図７（ａ）は、１リソースブロック内でＤＲＳが総１２個のＲＥ上に配置された例を示し、図７（ｂ）は、１リソースブロック内でＤＲＳが総２４個のＲＥ上に配置された例を示している。図７（ｂ）のようなＤＲＳパターンは、伝送レイヤーの数がより多い場合に用いることができる。例えば、図７（ａ）のようなＤＲＳパターンは、伝送レイヤーの数が１乃至２個の時に、図７（ｂ）のようなＤＲＳパターンは、伝送レイヤーの数が３乃至８個の時に用いることができる。しかし、これに制限されるものではなく、伝送レイヤーの個数に従って適切なＤＲＳパターンを用いればよい。
【００７４】
（チャネル状態情報参照信号（ＣＳＩ−ＲＳ））
既存のアンテナ構成を有するシステム（例えば、４伝送アンテナを支援するＬＴＥリリーズ８システム）に比べて拡張されたアンテナ構成を有するシステム（例えば、８伝送アンテナを支援するＬＴＥ−Ａシステム）では、チャネル状態情報（ＣＳＩ）を獲得するための新しい参照信号の伝送が要求される。前述したＣＲＳは、アンテナポート０乃至３のための参照信号であるゆえに、拡張されたアンテナポート上のチャネル状態を獲得することができる新しい参照信号が追加的に設計されることが要求される。
【００７５】
データ復調のために要求されるチャネル情報に比べて、ＣＳＩを獲得するためのチャネル情報の場合には、参照信号を用いたチャネル推定の正確度が相対的に低くてもＣＳＩを獲得するのに十分である。そのため、ＣＳＩを獲得を目的で設計される参照信号（ＣＳＩ−ＲＳ）は、既存の参照信号に比べて相対的に低い密度を有するように設計することができる。例えば、時間上で２ｍｓ、５ｍｓ、１０ｍｓ、４０ｍｓなどのデューティサイクル（Ｄｕｔｙ  ｃｙｃｌｅ）でＣＳＩ−ＲＳを伝送でき、周波数上では６ＲＥまたは１２ＲＥ間隔を有するＲＳを伝送することができる。ここで、デューティサイクルは、伝送に用いられるアンテナポートに対する参照信号を全部獲得できる時間単位を意味する。また、ＣＳＩ−ＲＳは、周波数上で全帯域にわたって伝送されることが可能である。
【００７６】
１サブフレームで伝送されるＣＳＩ−ＲＳのオーバーヘッドを減らすために、各アンテナポートのための参照信号が、互いに異なるサブフレーム上で伝送されてもよい。ただし、デューティサイクル内で、拡張された伝送アンテナによる全てのアンテナポートを支援可能なＣＳＩ−ＲＳが伝送されなければならない。例えば、８個のアンテナポートを支援するＣＳＩ−ＲＳがあるとすれば、４個のアンテナポートのためのＣＳＩ−ＲＳは第１のサブフレームで伝送し、残りの４個のアンテナポートのためのＣＳＩ−ＲＳは、第２のサブフレームで伝送することができる。この場合、第１及び第２のサブフレームは、時間上連続するサブフレームであってもよく、任意の時間間隔（デューティサイクルよりも小さい値）を有するサブフレームであってよい。
【００７７】
以下では、ＣＳＩ−ＲＳパターンに対する本発明の様々な実施例について説明する。
【００７８】
（実施例１）
実施例１によれば、ＣＲＳの配置されているＯＦＤＭシンボルにＣＳＩ−ＲＳが位置できる。具体的に、ＣＲＳは、一般ＣＰの場合に、１番目、２番目、５番目、８番目、９番目及び１２番目のＯＦＤＭシンボルに位置し、拡張されたＣＰの場合に、１番目、２番目、４番目、７番目、８番目及び１０番目のＯＦＤＭシンボルに位置する。ＣＳＩ−ＲＳを配置するにあって、制御チャネル（ＰＤＣＣＨ）が位置する１番目乃至３番目のＯＦＤＭシンボルを排除すると、ＣＳＩ−ＲＳは、一般ＣＰの場合に、５番目、８番目、９番目及び１２番目のＯＦＤＭシンボルに位置し、拡張されたＣＰの場合に、４番目、７番目、８番目及び１０番目のＯＦＤＭシンボルに位置できる。
【００７９】
１サブフレーム内に位置するＣＳＩ−ＲＳは、既存のＣＲＳと同じ周波数間隔（すなわち、３ＲＥ間隔）を有するように設計することができる。
【００８０】
具体的に、ＣＳＩ−ＲＳの配置されるＲＥは、周波数上等間隔で配置することができる。一つのアンテナポートの観点で、参照信号は周波数領域で６ＲＥ間隔（すなわち、６副搬送波間隔）で配置され、他のアンテナポートのための参照信号が配置されるＲＥとは周波数領域で３ＲＥ間隔で配置されることがある。この場合、ＣＲＳの存在するＯＦＤＭシンボルにおいて、ＣＲＳの配置されているＲＥ以外のＲＥを用いてＣＳＩ−ＲＳを伝送することができる。ＣＲＳの位置している一つのＯＦＤＭシンボルには３ＲＥ間隔で参照信号が位置し、ＣＲＳのためのＲＥの間にデータのためのＲＥが２個存在する。ＣＲＳの存在するＯＦＤＭシンボルにおいて、データのためのＲＥの一部をＣＳＩ−ＲＳのためのＲＥとして用いることができる。
【００８１】
１リソースブロック（一般ＣＰの場合、１４  ＯＦＤＭシンボル×１２副搬送波、または、拡張されたＣＰの場合、１２  ＯＦＤＭシンボル×１２副搬送波）において、８個のＲＥをＣＳＩ−ＲＳのために用いることができる。そのために、１リソースブロックで２  ＯＦＤＭシンボルを用いることができ、各ＯＦＤＭシンボルにおいて４個ずつのＲＥにＣＳＩ−ＲＳを配置することができる。
【００８２】
以下では、図８を参照して、ＦＤＭ、ＴＤＭ及び／またはＣＤＭ方式でＣＳＩ−ＲＳを配置する方案について説明する。図８（ａ）乃至図８（ｃ）で、左図は、一般ＣＰの場合におけるＣＳＩ−ＲＳパターンであり、右図は、拡張されたＣＰの場合におけるＣＳＩ−ＲＳパターンである。図８（ａ）乃至図８（ｃ）に示すＣＳＩ−ＲＳの位置は例示的なものであり、これに限定されるものではない。また、図８についての説明は、図９乃至図１２におけるＣＳＩ−ＲＳパターンの変形例に同一に適用可能である。
【００８３】
図８（ａ）に示すように、第１のＯＦＤＭシンボル上の１２個のＲＥのうち、４個のＲＥがＣＳＩ−ＲＳのために用いられる時に、２個のＲＥは、アンテナポートインデックス０（Ｃ０）のために用い、残り２個のＲＥはアンテナポートインデックス１（Ｃ１）のために用いられることが可能である。第２のＯＦＤＭシンボル上の１２個のＲＥのうち、４個のＲＥがＣＳＩ−ＲＳのために用いられる時に、２個のＲＥはアンテナポートインデックス２（Ｃ２）のために用い、残り２個のＲＥはアンテナポートインデックス３（Ｃ３）のために用いられることが可能である。この場合に、ＣＳＩ−ＲＳの配置される２  ＯＦＤＭシンボル（第１及び第２のＯＦＤＭシンボル）において同一の副搬送波位置にＣＳＩ−ＲＳを配置することができる。このようなＣＳＩ−ＲＳパターンにおいて、アンテナポートインデックス０及び１のためのＣＳＩ−ＲＳ（Ｃ０及びＣ１）はＦＤＭ方式で区別され、アンテナポートインデックス２及び３のためのＣＳＩ−ＲＳ（Ｃ２及びＣ３）はＦＤＭ方式で区別されるといえる。また、アンテナポートインデックス０及び２のためのＣＳＩ−ＲＳ（Ｃ０及びＣ２）はＴＤＭ方式で区別され、アンテナポートインデックス１及び３のためのＣＳＩ−ＲＳ（Ｃ１及びＣ３）はＴＤＭ方式で区別されるといえる。
【００８４】
図８（ｂ）に示すように、第１のＯＦＤＭシンボルの１２個のＲＥのうち、４個のＲＥがＣＳＩ−ＲＳのために用いられる時に、４個のＲＥをそれぞれアンテナポートインデックス０乃至３のために用いることができる。第２のＯＦＤＭシンボルの１２個のＲＥのうち、４個のＲＥがＣＳＩ−ＲＳのために用いられる時に、４個のＲＥをそれぞれアンテナポートインデックス０乃至３のために用いることができる。ＣＳＩ−ＲＳの配置される２  ＯＦＤＭシンボル（第１及び第２のＯＦＤＭシンボル）において同一の副搬送波位置にＣＳＩ−ＲＳを配置することができる。この場合に、ＣＳＩ−ＲＳのために割り当てられたＲＥにいずれかのアンテナポートを定義する時に、第１のＯＦＤＭシンボルのＲＥと第２のＯＦＤＭシンボルにおける同一の副搬送波位置のＲＥとは、互いに異なるアンテナポートのために定義されるとよい。例えば、第１のＯＦＤＭシンボルの１２個のＲＥ内に、ＣＳＩ−ＲＳのために割り当てられた４個のＲＥが順にアンテナポートインデックス０、１、２及び３のためにそれぞれ割り当てられた場合に（Ｃ０、Ｃ１、Ｃ２、Ｃ３）、第２のＯＦＤＭシンボルにおける同一の副搬送波位置の４個のＲＥには順に、アンテナポートインデックス２、３、０及び１のためにそれぞれ割り当てられることが可能である（Ｃ２、Ｃ３、Ｃ０、Ｃ１）。このようなＣＳＩ−ＲＳパターンにおいて、一つのＯＦＤＭシンボル上で４個のアンテナポートはＦＤＭ方式で区別されるといえ、または、互いに異なるアンテナポートのためのＣＳＩ−ＲＳが互いに異なるＯＦＤＭシンボル上に配置されるので、これらはＴＤＭ方式で区別されるといえる。
【００８５】
図８（ｃ）に示すように、同一の副搬送波位置で２  ＯＦＤＭシンボルにわたって２個のアンテナポートに対する参照信号がＣＤＭ方式で多重化されてもよい。すなわち、時間上で連接する２個のＲＥにわたってアンテナポートインデックス０のためのＣＳＩ−ＲＳ（Ｃ０）を配置し、同一のリソース要素上にアンテナポートインデックス１のためのＣＳＩ−ＲＳ（Ｃ１）を配置し、Ｃ０及びＣ１は、互いに異なるコードリソース（例えば、長さ２の直交カバーコード（Ｏｒｔｈｏｇｏｎａｌ  Ｃｏｖｅｒ  Ｃｏｄｅ；ＯＣＣ））を用いて多重化することができる。同様に、時間上で連接する２個のＲＥにわたってアンテナポートインデックス２のためのＣＳＩ−ＲＳ（Ｃ２）を配置し、同一のリソース要素上にアンテナポートインデックス３のためのＣＳＩ−ＲＳ（Ｃ３）を配置し、Ｃ２及びＣ３は、互いに異なるコードリソースを用いて多重化することができる。このような方式は、時間領域にわたって配置されたＣＳＩ−ＲＳを直交コードリソースを用いて区別するもので、ＣＤＭ−Ｔ方式の多重化といえよう。
【００８６】
ＣＳＩ−ＲＳが多重化される方式は、図８（ａ）乃至図８（ｃ）で説明する方式に制限されるものではなく、ＴＤＭ、ＦＤＭ及び／またはＣＤＭの種々の方式で具現することができる。
【００８７】
図９乃至図１２は、上述したＣＳＩ−ＲＳ配置方法による様々な実施例を示す図である。図９乃至図１２で、左図は一般ＣＰの場合、右図は拡張されたＣＰの場合におけるＣＳＩ−ＲＳパターンを示す。
【００８８】
図９乃至図１２に示すＣＲＳは、アンテナポートインデックス０乃至３を支援するための参照信号位置を全て表示したが、その一部のアンテナポートのみ用いられてもよい。例えば、アンテナポートインデックス０乃至１（２伝送アンテナ）のためのＣＲＳのみ用いられてもよく、アンテナポートインデックス０（単一伝送アンテナ）のためのＣＲＳのみ用いられてもよい。
【００８９】
本実施例１に係る図９乃至図１２において、前述したように、ＣＳＩ−ＲＳは、ＣＲＳが配置されるＯＦＤＭシンボルのうちの２  ＯＦＤＭシンボル上に配置される。すなわち、ＣＳＩ−ＲＳは、一般ＣＰの場合に、５番目、８番目、９番目及び１２番目のＯＦＤＭシンボルうちの２  ＯＦＤＭシンボル上に位置し、拡張されたＣＰの場合に、４番目、７番目、８番目及び１０番目のＯＦＤＭシンボルのうちの２  ＯＦＤＭシンボル上に位置できる。
【００９０】
具体的に、図９（ａ）では、ＣＳＩ−ＲＳが、一般ＣＰの場合に、５番目及び８番目のＯＦＤＭシンボル上に位置し、拡張されたＣＰの場合に、４番目及び７番目のＯＦＤＭシンボル上に位置する。図９（ｂ）では、ＣＳＩ−ＲＳが、一般ＣＰの場合に、５番目及び９番目のＯＦＤＭシンボル上に位置し、拡張されたＣＰの場合に、４番目及び８番目のＯＦＤＭシンボル上に位置する。図９（ｃ）では、ＣＳＩ−ＲＳが、一般ＣＰの場合に、５番目及び１２番目のＯＦＤＭシンボル上に位置し、拡張されたＣＰの場合に、４番目及び１０番目のＯＦＤＭシンボル上に位置する。図１０（ａ）では、ＣＳＩ−ＲＳが、一般ＣＰの場合に、８番目及び９番目のＯＦＤＭシンボル上に位置し、拡張されたＣＰの場合に、７番目及び８番目のＯＦＤＭシンボル上に位置する。図１０（ｂ）では、ＣＳＩ−ＲＳが、一般ＣＰの場合に、８番目及び１２番目のＯＦＤＭシンボル上に位置し、拡張されたＣＰの場合に、７番目及び１０番目のＯＦＤＭシンボル上に位置する。図１０（ｃ）では、ＣＳＩ−ＲＳが、一般ＣＰの場合に、９番目及び１２番目のＯＦＤＭシンボル上に位置し、拡張されたＣＰの場合に、８番目及び１０番目のＯＦＤＭシンボル上に位置する。
【００９１】
図９乃至図１０の実施例では、ＣＳＩ−ＲＳが一つのＯＦＤＭシンボルで２番目、５番目、８番目及び１２番目の副搬送波上に配置されるパターンを示す。
【００９２】
図１１（ａ）、図１１（ｂ）、図１１（ｃ）、図１２（ａ）、図１２（ｂ）及び図１２（ｃ）で、ＣＳＩ−ＲＳの配置されるＯＦＤＭシンボルは、図９（ａ）、図９（ｂ）、図９（ｃ）、図１０（ａ）、図１０（ｂ）及び図１０（ｃ）でＣＳＩ−ＲＳの配置されるＯＦＤＭシンボルに対応し、各ＯＦＤＭシンボル上でＣＳＩ−ＲＳが配置される副搬送波位置のみ異なる。すなわち、図１１乃至図１２の実施例では、ＣＳＩ−ＲＳが一つのＯＦＤＭシンボルで１番目、４番目、７番目及び１０番目の副搬送波上に配置されるパターンを示す。
【００９３】
（実施例２）
実施例２によれば、ＣＲＳの配置されていないＯＦＤＭシンボルにＣＳＩ−ＲＳを配置することができる。ＣＲＳの配置されないＯＦＤＭシンボルには、ＤＲＳの位置するＯＦＤＭシンボルとデータ信号のみ位置するＯＦＤＭシンボルとが存在する。ＤＲＳの副搬送波間隔がＣＳＩ−ＲＳの副搬送波間隔と異なるように設計される場合に、ＤＲＳとＣＳＩ−ＲＳとが同一のＯＦＤＭシンボル上に位置するようになると、それらの間に衝突（ｃｏｌｌｉｓｉｏｎ）が生じうる。参照信号は、データに比べて高い電力で伝送されるため、参照信号間の衝突は、参照信号とデータとの衝突に比べて、参照信号を用いたチャネル推定性能を大きく低下させてしまう。ＤＲＳは配置されておらず、データ信号のみ配置されるＯＦＤＭシンボル上に、ＣＳＩ−ＲＳが配置される場合に、ＣＳＩ−ＲＳとデータとの衝突が発生しても、ＣＳＩ−ＲＳを用いて受信側でチャネルを推定するのには大きな問題はない。このような点を考慮して、ＤＲＳの配置パターンに従って種々のＣＳＩ−ＲＳ配置パターンを設計することができる。
【００９４】
一般ＣＰの場合における１リソースブロック（１４  ＯＦＤＭシンボル×１２副搬送波）において、ＣＲＳの配置されないＯＦＤＭシンボルは、３番目、４番目、６番目、７番目、１０番目、１１番目、１３番目及び１４番目のＯＦＤＭシンボルである。拡張されたＣＰの場合における１リソースブロック（１２  ＯＦＤＭシンボル×１２副搬送波）において、ＣＲＳの配置されないＯＦＤＭシンボルは、３番目、５番目、６番目、９番目、１１番目及び１２番目のＯＦＤＭシンボルである。また、制御チャネル（ＰＤＣＣＨ）は、１番目乃至２番目（または３番目）のＯＦＤＭシンボルに割り当てられるとよく、ＣＳＩ−ＲＳはこれらＯＦＤＭシンボル上に配置されないように設計することができる。ＤＲＳの位置するＯＦＤＭシンボルを考慮すると、例えば、図７のようなＤＲＳパターンが用いられる場合に、ＤＲＳは、一般ＣＰの場合に６番目、７番目、１３番目及び１４番目のＯＦＤＭシンボルに配置できる。同様に、ＤＲＳは、拡張されたＣＰの場合に、５番目、６番目、１１番目及び１２番目のＯＦＤＭシンボルに配置できる。そのため、ＤＲＳは位置せず、データ信号のみ位置するＯＦＤＭシンボル上にＣＳＩ−ＲＳを配置するとすれば、一般ＣＰの場合に、ＣＳＩ−ＲＳは、（３番目）、４番目、１０番目及び１１番目のＯＦＤＭシンボル上に位置でき、拡張されたＣＰの場合に、ＣＳＩ−ＲＳは、（３番目）、９番目のＯＦＤＭシンボル上に位置できる。
【００９５】
前述したように、基本的には、ＣＲＳの位置しないＯＦＤＭシンボルにＣＳＩ−ＲＳを配置できるが、４伝送アンテナ伝送のためのＣＲＳを用いる場合に、ＣＲＳのために割り当てられたＲＥのうちの一部をＣＳＩ−ＲＳのために用いてもよい。
【００９６】
例えば、１サブフレームの２番目のスロットで、アンテナポートインデックス２及び３のためのＣＲＳが存在するＯＦＤＭシンボル（一般ＣＰの場合に９番目のＯＦＤＭシンボル、拡張されたＣＰの場合に、８番目のＯＦＤＭシンボル）において、ＣＲＳのために割り当てられたＲＥ位置（図５及び図６のＲ２及びＲ３）にＣＳＩ−ＲＳを配置することができる。これを、アンテナポート２及び３のためのＣＲＳリソース要素の再使用（ｒｅｕｓｅ）ということができる。
【００９７】
この場合、拡張されたＣＰの場合にアンテナポートインデックス２及び３のためのＣＲＳの位置にＣＳＩ−ＲＳが配置されると、ＣＳＩ−ＲＳを解析できない既存の端末（例えば、ＬＴＥリリーズ８または９標準に基づく端末）で参照信号を解析する際に不明確性（ａｍｂｉｇｕｉｔｙ）が生じることがある。そのため、一般ＣＰの場合には、単一伝送アンテナ、２伝送アンテナ及び４伝送アンテナ伝送であることを認識できるように、最大４個の伝送アンテナポートのために構成されるＣＲＳを指定できる反面、拡張されたＣＰの場合には、単一伝送アンテナ、２伝送アンテナ伝送までを認識できるように、最大２個の伝送アンテナポートのために構成されるＣＲＳのみ指定できる。
【００９８】
または、１サブフレームの１番目のスロットにおいてアンテナポート２及び３のためのＣＲＳが割り当てられるＯＦＤＭシンボル（２番目のＯＦＤＭシンボル）で、ＣＲＳのために割り当てられたＲＥ位置にＣＳＩ−ＲＳを配置してもよい。
【００９９】
または、アンテナポートインデックス０及び１のためのＣＲＳが割り当てられるＯＦＤＭシンボル（一般ＣＰの場合に、１サブフレームで１番目、５番目、８番目及び１２番目のＯＦＤＭシンボル）のいずれか一つにおいて、ＣＲＳのために割り当てられたＲＥにＣＳＩ−ＲＳを配置してもよい。
【０１００】
このようにしてＣＳＩ−ＲＳの配置されるＯＦＤＭシンボルを決定することができ、ＣＳＩ−ＲＳは、１サブフレームで２  ＯＦＤＭシンボル上に配置されることが可能である。周波数領域上でＣＳＩ−ＲＳは等間隔に配置することができる。一つのアンテナポートの観点から、参照信号は、周波数領域で６ＲＥ間隔（すなわち、６副搬送波間隔）で配置され、他のアンテナポートのための参照信号が配置されるＲＥとは周波数領域で３ＲＥ間隔で配置される。
【０１０１】
１リソースブロック（一般ＣＰの場合は１４  ＯＦＤＭシンボル×１２副搬送波、または拡張されたＣＰの場合は１２  ＯＦＤＭシンボル×１２副搬送波）で８個のＲＥをＣＳＩ−ＲＳのために用いることができる。そのために、１リソースブロックで２  ＯＦＤＭシンボルを用いることができ、各ＯＦＤＭシンボルにおいて４個ずつのＲＥにＣＳＩ−ＲＳを配置することができる。
【０１０２】
以下では、図１３を参照してＦＤＭ、ＴＤＭ及び／またはＣＤＭ方式でＣＳＩ−ＲＳを配置する方案について説明する。図１３（ａ）乃至図１３（ｃ）で、左図は、一般ＣＰの場合におけるＣＳＩ−ＲＳパターンであり、右図は、拡張されたＣＰの場合におけるＣＳＩ−ＲＳパターンである。図１３（ａ）乃至図１３（ｃ）に示すＣＳＩ−ＲＳの位置は例示的なもので、これに限定されることはない。また、図１３についての説明は、図１４乃至図３６のＣＳＩ−ＲＳパターンの種々の変形例にも同一に適用することができる。
【０１０３】
図１３（ａ）に示すように、第１のＯＦＤＭシンボル上の１２個のＲＥのうち、４個のＲＥがＣＳＩ−ＲＳのために用いられる時に、２個のＲＥはアンテナポートインデックス０（Ｃ０）のために用い、残り２個のＲＥはアンテナポートインデックス１（Ｃ１）のために用いることができる。第２のＯＦＤＭシンボル上の１２個のＲＥのうち、４個のＲＥがＣＳＩ−ＲＳのために用いられる時に、２個のＲＥは、アンテナポートインデックス２（Ｃ２）のために用い、残り２個のＲＥは、アンテナポートインデックス３（Ｃ３）のために用いることができる。この場合、ＣＳＩ−ＲＳの配置される２  ＯＦＤＭシンボル（第１及び第２のＯＦＤＭシンボル）において同一の副搬送波位置にＣＳＩ−ＲＳを配置することができる。このようなＣＳＩ−ＲＳパターンにおいて、アンテナポートインデックス０及び１のためのＣＳＩ−ＲＳ（Ｃ０及びＣ１）はＦＤＭ方式で区別され、アンテナポートインデックス２及び３のためのＣＳＩ−ＲＳ（Ｃ２及びＣ３）はＦＤＭ方式で区別されるといえる。また、アンテナポートインデックス０及び２のためのＣＳＩ−ＲＳ（Ｃ０及びＣ２）はＴＤＭ方式で区別され、アンテナポートインデックス１及び３のためのＣＳＩ−ＲＳ（Ｃ１及びＣ３）はＴＤＭ方式で区別されるといえる。
【０１０４】
図１３（ｂ）に示すように、第１のＯＦＤＭシンボルの１２個のＲＥのうち、４個のＲＥがＣＳＩ−ＲＳのために用いられる時に、４個のＲＥをそれぞれアンテナポートインデックス０乃至３のために用いることができる。第２のＯＦＤＭシンボルの１２個のＲＥのうち、４個のＲＥがＣＳＩ−ＲＳのために用いられる時に、４個のＲＥをそれぞれアンテナポートインデックス０乃至３のために用いることができる。ＣＳＩ−ＲＳの配置される２  ＯＦＤＭシンボル（第１及び第２のＯＦＤＭシンボル）において同一の副搬送波位置にＣＳＩ−ＲＳを配置することができる。この場合、ＣＳＩ−ＲＳのために割り当てられたＲＥにいずれかのアンテナポートを定義する際に、第１のＯＦＤＭシンボルのＲＥと第２のＯＦＤＭシンボルの同一の副搬送波位置のＲＥは、互いに異なるアンテナポートのために定義できる。例えば、第１のＯＦＤＭシンボルの１２個のＲＥ内に、ＣＳＩ−ＲＳのために割り当てられた４個ＲＥが順にアンテナポートインデックス０、１、２及び３のためにそれぞれ割り当てられた場合に（Ｃ０、Ｃ１、Ｃ２、Ｃ３）、第２のＯＦＤＭシンボルの同一の副搬送波位置の４個のＲＥは順に、アンテナポートインデックス２、３、０及び１のためにそれぞれ割り当てられるとよい（Ｃ２、Ｃ３、Ｃ０、Ｃ１）。このようなＣＳＩ−ＲＳパターンにおいて、一つのＯＦＤＭシンボル上で４個のアンテナポートはＦＤＭ方式で区別されるといえ、または、互いに異なるアンテナポートのためのＣＳＩ−ＲＳが、互いに異なるＯＦＤＭシンボル上に配置されるので、これらはＴＤＭ方式で区別されるといえる。
【０１０５】
図１３（ｃ）に示すように、同一の副搬送波位置で２  ＯＦＤＭシンボルにわたって２個のアンテナポートに対する参照信号がＣＤＭ方式で多重化されてもよい。すなわち、同一の副搬送波上で互いに異なるＯＦＤＭシンボルに位置する２個のＲＥにわたってアンテナポートインデックス０のためのＣＳＩ−ＲＳ（Ｃ０）が配置され、同一リソース要素上にアンテナポートインデックス１のためのＣＳＩ−ＲＳ（Ｃ１）が配置され、Ｃ０及びＣ１は、互いに異なるコードリソース（例えば、長さ２のＯＣＣ）を用いて多重化されてもよい。同様に、同一副搬送波上で互いに異なるＯＦＤＭシンボルに位置する２個のＲＥにわたって、アンテナポートインデックス２のためのＣＳＩ−ＲＳ（Ｃ２）が配置され、同一リソース要素上にアンテナポートインデックス３のためのＣＳＩ−ＲＳ（Ｃ３）が配置され、Ｃ２及びＣ３は、互いに異なるコードリソースを用いて多重化されてもよい。このような方式は、時間領域にわたって配置されたＣＳＩ−ＲＳをコードリソースを用いて区別するもので、ＣＤＭ−Ｔ方式の多重化ということができる。
【０１０６】
図１３（ｄ）では、８個のアンテナポートに対するＣＳＩ−ＲＳがＣＤＭ方式で多重化されるパターンを示している。同一の副搬送波上で互いに異なるＯＦＤＭシンボルに位置する２個のＲＥにわたって、アンテナポートインデックス０のためのＣＳＩ−ＲＳ（Ｃ０）が配置され、同一リソース要素上にアンテナポートインデックス１のためのＣＳＩ−ＲＳ（Ｃ１）が配置され、Ｃ０及びＣ１は、互いに異なるコードリソース（例えば、長さ２のＯＣＣ）を用いて多重化できる。また、同一の副搬送波上で互いに異なるＯＦＤＭシンボルに位置する２個のＲＥにわたって、アンテナポートインデックス２のためのＣＳＩ−ＲＳ（Ｃ２）が配置され、同一リソース要素上にアンテナポートインデックス３のためのＣＳＩ−ＲＳ（Ｃ３）が配置され、Ｃ２及びＣ３は、互いに異なるコードリソースを用いて多重化できる。また、同一の副搬送波上で互いに異なるＯＦＤＭシンボルに位置する２個のＲＥにわたって、アンテナポートインデックス４のためのＣＳＩ−ＲＳ（Ｃ４）が配置され、同一リソース要素上にアンテナポートインデックス５のためのＣＳＩ−ＲＳ（Ｃ５）が配置され、Ｃ４及びＣ５は、互いに異なるコードリソースを用いて多重化できる。また、同一の副搬送波上で互いに異なるＯＦＤＭシンボルに位置する２個のＲＥにわたって、アンテナポートインデックス６のためのＣＳＩ−ＲＳ（Ｃ６）が配置され、同一リソース要素上にアンテナポートインデックス７のためのＣＳＩ−ＲＳ（Ｃ７）が配置され、Ｃ６及びＣ７は、互いに異なるコードリソースを用いて多重化できる。
【０１０７】
ＣＳＩ−ＲＳが多重化される方式は、図１３（ａ）乃至図１３（ｃ）で説明する方式に制限されるものではなく、ＴＤＭ、ＦＤＭ及び／またはＣＤＭの様々な方式で具現することができる。
【０１０８】
図１４乃至図３６は、上述したＣＳＩ−ＲＳ配置方法による種々の実施例を示す図である。図１４乃至図３６で、左図は一般ＣＰの場合おけるＣＳＩ−ＲＳパターン、右図は拡張されたＣＰの場合におけるＣＳＩ−ＲＳパターンである。
【０１０９】
図１４乃至図３６に示すＣＲＳは、アンテナポートインデックス０乃至３を支援するための参照信号位置を全て表示したが、その一部のアンテナポートのみ用いられてもよい。例えば、アンテナポートインデックス０乃至１（２伝送アンテナ）のためのＣＲＳのみ用いられてもよく、アンテナポートインデックス０（単一伝送アンテナ）のためのＣＲＳのみ用いられてもよい。
【０１１０】
また、図１４乃至図３６に示すＣＳＩ−ＲＳパターンは、周波数シフト可能である。周波数シフトはセル別に行われることが可能である。すなわち、セル別にＣＳＩ−ＲＳの周波数領域上の位置をシフトして異ならせることができる。例えば、ＣＳＩ−ＲＳが３副搬送波ごとに位置する場合に、第１のセルは３ｋの副搬送波上に、第２のセルは３ｋ＋１の副搬送波上に、第３のセルは３ｋ＋２副搬送波上に配置させることができる。また、ＣＳＩ−ＲＳとＣＲＳは、同一のオフセット（ｏｆｆｓｅｔ）で周波数シフトしてもよい。
【０１１１】
また、図１４乃至図３６に示すＣＳＩ−ＲＳパターンにおいて、ＣＲＳの位置する副搬送波と同一の副搬送波位置にＣＳＩ−ＲＳが位置する場合に、１副搬送波または２副搬送波だけシフトした位置にＣＳＩ−ＲＳが定義されてもよい。
【０１１２】
以下では、まず、図１４乃至図１９に示すＣＳＩ−ＲＳパターンについて説明し、図２０乃至図３６のＣＳＩ−ＲＳパターンについて説明する。
【０１１３】
図１４乃至図１９に示すように、ＣＳＩ−ＲＳは、１サブフレームで２  ＯＦＤＭシンボル上に配置され、各ＯＦＤＭシンボルで４副搬送波位置に配置されることで、全体８ＲＥにＣＳＩ−ＲＳを配置することができる。
【０１１４】
ＣＳＩ−ＲＳの配置される２  ＯＦＤＭシンボルは両方も、ＣＲＳ及びＤＲＳが配置されないＯＦＤＭシンボルでよい（図１５（ａ）、図１５（ｂ）、及び図１８（ａ）の一般ＣＰの場合）。
【０１１５】
または、ＣＳＩ−ＲＳの配置される２  ＯＦＤＭシンボルのいずれか一ＯＦＤＭシンボル上における４個のＲＥは、既存のＣＲＳの配置されているＲＥを再使用（ｒｅｕｓｅ）する形態で配置されてもよい（図１４（ａ）、図１４（ｂ）、図１４（ｃ）、図１５（ｃ）、図１６（ｂ）、図１７（ａ）、図１７（ｂ）、図１８（ａ）の拡張されたＣＰの場合、図１８（ｂ）の一般ＣＰの場合、及び図１８（ｃ））。特に、図１７（ｂ）の場合に、アンテナポートインデックス２及び３に対するＣＲＳが割り当てられているＲＥをＣＳＩ−ＲＳのために再使用する場合に、２伝送アンテナ伝送を支援するＣＲＳまでしか指定できない。
【０１１６】
または、ＣＳＩ−ＲＳが配置される２  ＯＦＤＭシンボル上の８個のＲＥが、既存のＣＲＳの配置されているＲＥを再使用する形態で配置されてもよい（図１６（ａ）、図１６（ｃ）、図１７（ｃ）、及び図１８（ｂ）の拡張されたＣＰの場合）。
【０１１７】
図１９（ａ）及び図１９（ｂ）の実施例は、図１４（ａ）のＣＳＩ−ＲＳパターンにおいて周波数位置が１副搬送波または２副搬送波だけシフトした変形例に該当する。
【０１１８】
次に、図２０乃至図３６のＣＳＩ−ＲＳパターンについて説明する。図２０乃至図３６の実施例において、ＣＳＩ−ＲＳは、１サブフレームで２  ＯＦＤＭシンボル上に配置され、１  ＯＦＤＭシンボルで４副搬送波位置に配置されることで、合計８ＲＥにＣＳＩ−ＲＳを配置することができる。
【０１１９】
ＣＳＩ−ＲＳが配置される２  ＯＦＤＭシンボルは両方とも、ＣＲＳ及びＤＲＳが配置されないＯＦＤＭシンボルでよい（図２９（ａ）の一般ＣＰの場合、及び図３６（ａ）の一般ＣＰの場合）。
【０１２０】
または、ＣＳＩ−ＲＳが配置される２  ＯＦＤＭシンボルのいずれか一ＯＦＤＭシンボルは、ＣＲＳ及びＤＲＳが配置されないＯＦＤＭシンボルであり、残り他のＯＦＤＭシンボル上の４個のＲＥは、既存のＣＲＳが配置されているＲＥを再使用する形態で配置されてもよい（図２１（ａ）、図２４（ａ）の一般ＣＰの場合、図２５（ａ）の一般ＣＰの場合、図２６（ａ）の一般ＣＰの場合、図２８（ａ）、図２８（ｂ）、図２８（ｃ）、図２９（ａ）の拡張されたＣＰの場合、図２９（ｂ）、図３０（ｃ）、図３２（ａ）の一般ＣＰの場合、図３３（ｃ）の一般ＣＰの場合、及び図３６（ａ）の拡張されたＣＰの場合）。
【０１２１】
または、ＣＳＩ−ＲＳが配置される２  ＯＦＤＭシンボルのいずれか一ＯＦＤＭシンボルは、ＣＲＳ及びＤＲＳが配置されないＯＦＤＭシンボルであり、残り他のＯＦＤＭシンボルは、ＤＲＳが配置されているＯＦＤＭシンボルでよい（図２２（ｃ）の一般ＣＰの場合、図２６（ｂ）の一般ＣＰの場合、図２９（ｃ）、図３４（ａ）の一般ＣＰの場合、図３６（ｂ）の一般ＣＰの場合、及び図３６（ｃ）の一般ＣＰの場合）。
【０１２２】
または、ＣＳＩ−ＲＳが配置される２  ＯＦＤＭシンボルのいずれか一ＯＦＤＭシンボルは、ＤＲＳが配置されるＯＦＤＭシンボルであり、残り他のＯＦＤＭシンボル上の４個のＲＥは、既存のＣＲＳが配置されているＲＥを再使用する形態で配置されてもよい（図２０（ａ）、図２１（ｃ）、図２２（ａ）、図２２（ｂ）、図２２（ｃ）の拡張されたＣＰの場合、図２３（ａ）、図２４（ｃ）、図２５（ｃ）、図２６（ｂ）の拡張されたＣＰの場合、図２６（ｃ）、図３１（ｂ）、図３２（ｃ）、図３３（ｂ）、図３４（ａ）の拡張されたＣＰの場合、図３４（ｂ）、図３６（ｂ）の拡張されたＣＰの場合、及び図３６（ｃ）の拡張されたＣＰの場合）。
【０１２３】
または、ＣＳＩ−ＲＳの配置される２  ＯＦＤＭシンボルが両方も、ＤＲＳの配置されているＯＦＤＭシンボルでよい（図２３（ｂ））。
【０１２４】
または、ＣＳＩ−ＲＳが配置される２  ＯＦＤＭシンボル上の８個のＲＥが、既存のＣＲＳが配置されているＲＥを再使用する形態で配置されてもてもよい（図２０（ｂ）、図２０（ｃ）、図２１（ｂ）、図２３（ｃ）、図２４（ａ）の拡張されたＣＰの場合、図２４（ｂ）、図２５（ａ）の拡張されたＣＰの場合、図２５（ｂ）、図２６（ａ）の拡張されたＣＰの場合、図３０（ａ）、図３０（ｂ）、図３０（ｃ）の拡張されたＣＰの場合、図３１（ａ）、図３１（ｃ）、図３２（ａ）の拡張されたＣＰの場合、図３２（ｂ）、図３３（ａ）、図３３（ｃ）の拡張されたＣＰの場合）。
【０１２５】
図２７（ａ）及び図２７（ｂ）の実施例は、図２２（ｃ）のＣＳＩ−ＲＳパターンにおいて周波数位置が１副搬送波または２副搬送波だけシフトした変形例に該当する。図３５（ａ）及び図３５（ｂ）の実施例は、図３４（ａ）のＣＳＩ−ＲＳパターンにおいて周波数位置が１副搬送波または２副搬送波だけシフトした変形例に該当する。
【０１２６】
（実施例３）
本実施例３は、上記の実施例１及び２で説明したＣＳＩ−ＲＳの時間軸上の位置（すなわち、ＣＳＩ−ＲＳが配置されるＯＦＤＭシンボル位置）の様々な例示に基づき、複数個のアンテナポートのためのＣＳＩ−ＲＳが多重化される具体的な方式に関するものである図３７及び図３８の実施例で説明するＣＳＩ−ＲＳの周波数位置は、前述したＣＳＩ−ＲＳの時間軸上の位置に対する実施例１及び２の一般ＣＰの場合及び拡張されたＣＰの場合の両方に適用することが可能である。
【０１２７】
図３７に示すように、本実施例３では、１リソースブロック（時間上で１サブフレーム×周波数上で１２個の副搬送波）において８個のＲＥ（２  ＯＦＤＭシンボル、及び各ＯＦＤＭシンボル当たり４個のＲＥ）がＣＳＩ−ＲＳのために用いられるとする。図３７（ａ）のパターン１において、２  ＯＦＤＭシンボルの位置は、前述した実施例１及び２で提案した様々なＯＦＤＭシンボル位置に対応することができる。それぞれのＯＦＤＭシンボル上に位置するＣＳＩ−ＲＳは、３ＲＥ間隔で配置できる。また、図３７（ａ）のパターン１に示すＣＳＩ−ＲＳの位置は、周波数上で１ＲＥだけシフトしたり（パターン２）、または２ＲＥだけシフトしたりすることがある（パターン３）。
【０１２８】
図３７（ｂ）には、後述する図３８（ｂ）のＣＤＭ−Ｔ形態のＣＳＩ−ＲＳ配置例示に対して周波数シフトした具体的な例を示している。図３７（ｃ）には、後述する図３８（ｂ）のＣＤＭ−Ｔ形態のＣＳＩ−ＲＳ配置例示がリソースブロック上に配置された例を示している。具体的に、２  ＯＦＤＭシンボルは、一般ＣＰの場合に、１リソースブロック上のＯＦＤＭシンボルインデックス９及び１０に配置され、拡張されたＣＰの場合にＯＦＤＭシンボルインデックス７及び８に配置されることが可能である。
【０１２９】
ＣＳＩ−ＲＳを用いてＮ個の伝送アンテナのチャネルを獲得するように、Ｎ個のアンテナポートのための独立した周波数／時間／コードリソースを割り当てることができる。すなわち、Ｎ個のアンテナポートのためのＣＳＩ−ＲＳをＦＤＭ／ＴＤＭ／ＣＤＭ方式で多重化できる。
【０１３０】
図３８には、ＣＳＩ−ＲＳの多重化方式に関する種々の実施例を示す。図３８に示すＣＳＩ−ＲＳの配置される２  ＯＦＤＭシンボルの位置は、前述した実施例１及び２で提案した様々なＯＦＤＭシンボル位置に対応することができる。説明を明確にするために省略したが、図３８を参照して以下に説明する様々な実施例においても、図３７（ａ）のパターン１乃至３で示していると同様に、ＣＳＩ−ＲＳのマッピングされるＲＥの位置は、周波数上で１ＲＥまたは２ＲＥだけ周波数シフトできる。
【０１３１】
図３８（ａ）の実施例では、８個のアンテナポートに対するＣＳＩ−ＲＳ（Ａ、Ｂ、Ｃ、Ｄ、Ｅ、Ｆ、Ｇ及びＨ）を８個のＲＥにそれぞれマッピングできる。アンテナポートＡ、Ｂ、Ｃ及びＤはＦＤＭ方式で区別できる。また、アンテナポートＥ、Ｆ、Ｇ及びＨはＦＤＭ方式で区別できる。また、第１のアンテナポートグループ（Ａ、Ｂ、Ｃ及びＤ）と第２のアンテナポートグループ（Ｅ、Ｆ、Ｇ及びＨ）とはＴＤＭ方式で区別できる。
【０１３２】
図３８（ｂ）の実施例では、８個のアンテナポートのうち、２個のアンテナポートはＣＤＭ−Ｔ方式で多重化できる。例えば、アンテナポート０及び１を、長さ２の直交コード（例えば、ウォルシュコード、ＤＦＴコードまたはランダムコードなど）を用いて時間領域で拡散することが可能である。すなわち、アンテナポートインデックス０及び１のそれぞれに対するＣＳＩ−ＲＳは、時間領域でコードリソースによって拡散されて、同一ＲＥ（第１のＯＦＤＭシンボルのＡ及び第２のＯＦＤＭシンボルのＡ）に配置される。アンテナポート０及び１を取り上げて説明したが、８個のアンテナポートのうち任意の２個に対してＣＤＭ−Ｔ方式の多重化を適用することができる。８個のアンテナポートは、２個のアンテナポートで構成される４個のアンテナグループ（すなわち、Ａ、Ｂ、Ｃ及びＤ）にグループ化でき、この４個のアンテナグループはＦＤＭ方式で区別できる。
【０１３３】
図３８（ｃ）の実施例では、８個のアンテナポートのうち、２個のアンテナポートはＣＤＭ−Ｆ方式で多重化できる。例えば、アンテナポート０及び１を、長さ２の直交コード（例えば、ウォルシュコード、ＤＦＴコードまたはランダムコードなど）を用いて周波数領域で拡散することができる。すなわち、アンテナポートインデックス０及び１のそれぞれに対するＣＳＩ−ＲＳは、周波数領域でコードリソースによって拡散され、同一ＲＥ（第１のＯＦＤＭシンボル上のＡ及びＡ）に配置される。アンテナポート０及び１を取り上げて説明したが、８個のアンテナポートのうち任意の２個に対してＣＤＭ−Ｆ方式の多重化を適用することができる。８個のアンテナポートは、２個のアンテナポートで構成される４個のアンテナグループ（すなわち、Ａ、Ｂ、Ｃ及びＤ）にグループ化でき、この４個のアンテナグループはＦＤＭ／ＴＤＭ方式で区別できる。
【０１３４】
図３８（ｄ）は、図３８（ｃ）と類似に、８個のアンテナポートのうち２個のアンテナポートをＣＤＭ−Ｆ方式で多重化し、４個のアンテナグループはＦＤＭ／ＴＤＭ方式で多重化する実施例である。ただし、ＣＤＭ−Ｆの適用されるＲＥ（例えば、ＡとＡ）の位置が３ＲＥ間隔ではなく６ＲＥ間隔である点で、図３８（ｃ）の実施例と異なる。
【０１３５】
図３８（ｅ）の実施例では、８個のアンテナポートのうち４個のアンテナポートをＣＤＭ−Ｆ方式で多重化できる。例えば、アンテナポート０、１、２及び３を、長さ４の直交コード（例えば、ウォルシュコード、ＤＦＴコードまたはランダムコードなど）を用いて周波数領域で拡散することができる。すなわち、アンテナポートインデックス０、１、２及び３のそれぞれに対するＣＳＩ−ＲＳは、周波数領域でコードリソースによって拡散され、同一ＲＥ（第１のＯＦＤＭシンボル上のＡ、Ａ、Ａ及びＡ）に配置される。アンテナポート０、１、２及び３を取り上げて説明したが、８個のアンテナポートのうち任意の４個に対してＣＤＭ−Ｆ方式の多重化を適用することができる。８個のアンテナポートは、４個のアンテナポートで構成される２個のアンテナグループ（すなわち、Ａ及びＢ）にグループ化でき、この２個のアンテナグループはＴＤＭ方式で区別できる。
【０１３６】
図３８（ｆ）の実施例では、８個のアンテナポートのうち４個のアンテナポートをＣＤＭ方式で多重化できる。例えば、アンテナポート０、１、２及び３を、直交コード（例えば、ウォルシュコード、ＤＦＴコードまたはランダムコードなど）を用いて時間領域及び周波数領域で拡散することができる。すなわち、アンテナポートインデックス０、１、２及び３のそれぞれに対するＣＳＩ−ＲＳは、時間領域及び周波数領域でコードリソースによって拡散され、同一ＲＥ（第１及び第２のＯＦＤＭシンボル上のＡ、Ａ、Ａ及びＡ）に配置される。アンテナポート０、１、２及び３を取り上げて説明したが、８個のアンテナポートのうち任意の４個に対してＣＤＭ方式の多重化を適用することができる。８個のアンテナポートは、４個のアンテナポートで構成される２個のアンテナグループ（すなわち、Ａ及びＢ）にグループ化でき、この２個のアンテナグループはＦＤＭ／ＴＤＭ方式で区別できる。
【０１３７】
図３８（ｇ）の実施例では、８個のアンテナポートのうち４個のアンテナポートをＣＤＭ−Ｔ／Ｆ方式で多重化できる。例えば、アンテナポート０、１、２及び３を、直交コード（例えば、ウォルシュコード、ＤＦＴコードまたはランダムコードなど）を用いて時間領域及び周波数領域で拡散することができる。すなわち、アンテナポートインデックス０、１、２及び３のそれぞれに対するＣＳＩ−ＲＳは、時間領域及び周波数領域でコードリソースによって拡散され、同一ＲＥ（第１及び第２のＯＦＤＭシンボル上のＡ、Ａ、Ａ及びＡ）に配置される。アンテナポート０、１、２及び３を取り上げて説明したが、８個のアンテナポートのうち任意の４個に対してＣＤＭ方式の多重化を適用することができる。８個のアンテナポートは、４個のアンテナポートで構成される２個のアンテナグループ（すなわち、Ａ及びＢ）にグループ化でき、この２個のアンテナグループはＦＤＭ方式で区別できる。
【０１３８】
図３８（ｈ）の実施例では、８個のアンテナポートをＣＤＭ方式で多重化できる。例えば、アンテナポート０、１、２、３、４、５、６及び７を、直交コード（例えば、ウォルシュコード、ＤＦＴコードまたはランダムコードなど）を用いて時間領域及び周波数領域で拡散することができる。すなわち、アンテナポートインデックス０、１、２、３、４、５、６及び７のそれぞれに対するＣＳＩ−ＲＳは、時間領域及び周波数領域でコードリソースによって拡散され、同一ＲＥ（第１及び第２のＯＦＤＭシンボル上のＡ、Ａ、Ａ、Ａ、Ａ、Ａ、Ａ及びＡ）に配置される。または、アンテナポートのそれぞれに対するＣＳＩ−ＲＳが周波数領域で拡散され、時間領域では同一信号が伝送されてもよい。
【０１３９】
上述の実施例において、８個のアンテナポートのために定義されたＣＳＩ−ＲＳパターンを、４個のアンテナポートのためのＣＳＩ−ＲＳ、または２個のアンテナポートのためのＣＳＩ−ＲＳにも同様のパターン（すなわち、同一ＲＥ位置にＣＳＩ−ＲＳが配置されるパターン）で用いることができる。この場合、８個のアンテナポートのためのＣＳＩ−ＲＳパターンの全てのＲＥが用いられてもよく、その一部のアンテナポートに対する部分集合（ｓｕｂｓｅｔ）が用いられてもよい。このような特性を、入れ子（ｎｅｓｔｅｄ）特性といえる。
【０１４０】
また、拡張されたＣＰの場合に対するＣＳＩ−ＲＳパターンは、２伝送アンテナのためのＣＲＳが配置される状況で定義可能である。すなわち、拡張されたＣＰに対して、図６でＲ２及びＲ３（第３及び第４のアンテナポート）で表示されるＣＲＳパターンは用いず、Ｒ０及びＲ１（第１及び第２のアンテナポート）で表示されるＣＲＳパターンのみを用いることを前提として、上述の様々なＣＳＩ−ＲＳパターンを適用することができる。端末は、既存に定義されたＰＢＣＨから、２アンテナポートを用いる基地局であることが認知できる。
【０１４１】
または、端末が、４伝送アンテナを用いる基地局であることをＰＢＣＨから認知する状況で、図６の１サブフレームの２番目のスロットのＲ２及びＲ３で表示されるＣＲＳは用いられず、該当のシンボルがＣＳＩ−ＲＳ伝送のためのシンボルとして用いられてもよい。また、１サブフレームの２番目のスロットのＲ２及びＲ３で表示されるＣＲＳは用いられず、該当のＣＲＳのＲＥ位置がＣＳＩ−ＲＳのために再使用されてもよい。
【０１４２】
（実施例４）
本実施例４では、ＣＳＩ−ＲＳのパターンに関する追加的な実施例について説明する。
【０１４３】
図３９は、ＣＳＩ−ＲＳパターンを決定する上で考慮すべき他の参照信号（ＲＳ）のパターンを示す図である。図３９で、Ｓは、セル−特定参照信号（すなわち、共用参照信号（ＣＲＳ））を表し、Ｕは、既存のＬＴＥ標準（例えば、ＬＴＥリリーズ８）で定義する端末−特定参照信号（すなわち、専用参照信号（ＤＲＳ））を表し、Ｄは、ＬＴＥ標準（例えば、リリーズ９及び１０）で新しく定義する端末−特定参照信号（ＤＲＳ）を表す。
【０１４４】
図３９を参照して、１リソース要素（時間上で１サブフレーム×周波数上で１２副搬送波）上に割り当てられる種々の参照信号の位置を説明する。
【０１４５】
図３９（ａ）は、一般ＣＰの場合を示す。ＣＲＳ（Ｓ）は、ＯＦＤＭシンボルインデックス０、１、４、７、８及び１１において副搬送波インデックス０、３、６、９上に位置する。既存ＬＴＥ  ＤＲＳ（Ｕ）は、ＯＦＤＭシンボルインデックス３、６、９、１２において副搬送波インデックス０、４、８または副搬送波インデックス２、６、１０上に位置する。ＤＲＳ（Ｄ）は、ＯＦＤＭシンボルインデックス５、６、１２、１３において副搬送波インデックス０、１、５、６、１０、１１上に位置する。
【０１４６】
図３９（ｂ）は、拡張されたＣＰの場合を示す。ＣＲＳ（Ｓ）は、ＯＦＤＭシンボルインデックス０、１、３、６、７、９において副搬送波インデックス０、３、６、９上に位置する。既存ＬＴＥ  ＤＲＳ（Ｕ）は、ＯＦＤＭシンボルインデックス４、７、１０において副搬送波インデックス０、３、６、９、または副搬送波インデックス２、５、８、１１上に位置する。ＤＲＳ（Ｄ）は、ＯＦＤＭシンボルインデックス４、５、１０、１１において副搬送波インデックス１、２、４、５、６、７、８、１０、１１上に位置する。
【０１４７】
ＣＳＩ−ＲＳは、８伝送アンテナ、４伝送アンテナ、２伝送アンテナのために定義できる。４伝送アンテナ及び２伝送アンテナのためのＣＳＩ−ＲＳパターンは、８伝送アンテナのためのＣＳＩ−ＲＳパターンの全部または部分集合（ｓｕｂｓｅｔ）と定義できる。すなわち、入れ子（ｎｅｓｔｅｄ）特性を満たすことができる。
【０１４８】
ＣＳＩ−ＲＳを配置可能な時間領域上の位置を決定するに当たり、ＣＲＳ、ＤＲＳ（ＬＴＥリリーズ８、９、１０で定義されるＤＲＳを包括する。すなわち、図３９のＵ及びＤ）及びＰＤＣＣＨが含まれるＯＦＤＭシンボルを排除することができる。そのため、一般ＣＰの場合はＯＦＤＭシンボルインデックス１０のみを、拡張されたＣＰの場合はＯＦＤＭシンボルインデックス８のみをＣＳＩ−ＲＳ割当のために用いることができる。
【０１４９】
以下では、図４０を参照して、一般ＣＰの場合に、１  ＯＦＤＭシンボル（ＯＦＤＭシンボルインデックス１０）上に割り当てられるＣＳＩ−ＲＳの周波数領域上の位置について説明する。説明の明確性のために、一般ＣＰの場合のみを挙げて説明するが、図４０に関する説明は、拡張されたＣＰの場合に１  ＯＦＤＭシンボル（ＯＦＤＭシンボルインデックス８）上に割り当てられるＣＳＩ−ＲＳの周波数領域上の位置にも同一に適用することができる。
【０１５０】
まず、ＦＤＭ方式のＣＳＩ−ＲＳ構造について説明する。ＦＤＭ方式は、２伝送アンテナ、４伝送アンテナまたは８伝送アンテナの場合に、それぞれの伝送アンテナに対するＣＳＩ−ＲＳを周波数リソースを用いて区別する方式である。８個のアンテナを支援するための構造は、８個のＲＥに連続して配置される構造（図４０（ａ）のパターン１）、連続した２個のＲＥ単位が一定間隔をおいて配置される構造（図４０（ａ）のパターン２）、連続した４個のＲＥに配置され、これと一定間隔をおいて連続した４個ＲＥに配置される構造（図４０（ａ）のパターン３）などを考慮することができる。連続した８個のＲＥに配置される場合に、各ＲＥに１個のアンテナポートに対するＣＳＩ−ＲＳを対応させることができる。
【０１５１】
次に、ＣＤＭ−ＦＤＭ方式のＣＳＩ−ＲＳ構造について説明する。８個のＲＥのうちの２個のＲＥが対（ｐａｉｒ）をなす。すなわち、Ａ−Ａ、Ｂ−Ｂ、Ｃ−Ｃ、Ｄ−Ｄがそれぞれ対をなす。一つの対に対して長さ２の直交コードを割り当て、２個のアンテナポートを区別できる。この場合、それぞれの対を互いに区別するために周波数リソースを用いることができる。一つの対をなす２個のＲＥが任意の間隔を有する場合に対するＣＳＩ−ＲＳ構造として、図４０（ｂ）のパターン１乃至３を考慮できる。または、一つの対をなす２個のＲＥが連続した副搬送波上に位置する場合に対するＣＳＩ−ＲＳ構造として、図４０（ｃ）のパターン１乃至３を考慮できる。
【０１５２】
図４０に示すＣＳＩ−ＲＳの表示子Ａ、Ｂ、Ｃ及びＤは、アンテナポート（アンテナポート０乃至７）またはアンテナポートグループを指示するものであり、その例示的な対応関係は表１のようである。ただし、表１に例示した対応関係に制限されるものではなく、Ａ、Ｂ、Ｃ、Ｄが任意の順序に変更されてアンテナポートまたはアンテナポートグループに対応されてもよい。
【０１５３】
【表１】
2013502139.tif 000005
一方、ＣＳＩ−ＲＳを配置可能な時間領域上の位置を決定するに当たり、ＣＲＳ、ＤＲＳ（ＬＴＥリリーズ９、１０で定義されるＤＲＳ、すなわち、図３９のＤ）及びＰＤＣＣＨの含まれるＯＦＤＭシンボルを排除することができる。すなわち、図４０と関連して前述した実施例とは違い、既存ＬＴＥで定義されるＤＲＳ（図３９のＵ）の位置するＯＦＤＭシンボル上にＣＳＩ−ＲＳが配置されるパターンを考慮できる。そのため、一般ＣＰの場合は、ＯＦＤＭシンボルインデックス３、９、１０をＣＳＩ−ＲＳ割当のために用いることができる。
【０１５４】
図４１を参照して一般ＣＰの場合におけるＣＳＩ−ＲＳパターンについて説明する。ＣＳＩ−ＲＳは、ＯＦＤＭシンボルインデックス９及び１０上に位置できる。ＣＳＩ−ＲＳは、周波数上では２副搬送波間隔で、６個の副搬送波上に位置できる。この場合、既存ＬＴＥシステムで定義されたＤＲＳ（Ｕ）が存在する副搬送波位置（副搬送波インデックス０、４、８）にはＣＳＩ−ＲＳが配置されてもよい。すなわち、図４１（ａ）のようなパターンでＣＳＩ−ＲＳが２  ＯＦＤＭシンボル上で１２ＲＥ上に配置されることが可能である。
【０１５５】
図４１（ａ）で８個のアンテナポートのチャネルに対するＣＳＩ−ＲＳを区別するためには、８個の区別されるリソース（時間、周波数及び／またはコードリソース）を用いなければならない。２個の区別される時間リソース、６個の区別される周波数リソース、及び直交コードを用いて８個のアンテナポートを多重化できる。例えば、隣接している時間リソース（隣接しているＯＦＤＭシンボル）に直交コードを割り当てて２個のアンテナポートを区別し、４個の直交周波数リソースを割り当てて総８個のアンテナポートを区別できる。この場合に、図４１（ａ）に示す６個の周波数リソースのうち任意の４個の周波数リソースを選択することができる。６個から任意の４個を選択する場合の数は、３６０通り（６ｐ４＝３６０）であり、このうち、３個のセルのために３つのパターンを用いることができる。すなわち、３個のセルでそれぞれのセルごとに周波数シフトしたパターンを用いるように設定できる。
【０１５６】
図４１（ｂ）には、４個の周波数リソース、２個の時間リソース、２個の直交コードリソースを用いてＣＳＩ−ＲＳを多重化する一例を示す。図４１（ｂ）において、Ａ−Ａ位置には直交コードを用いて２個のアンテナポートを区別することができる。図４１（ｂ）のパターン１乃至３は、２副搬送波間隔で周波数シフトした例である。それぞれのパターンは、種々の基準に基づいて選択されて用いられるとよい。例えば、時間によって一つのパターンを選択することができる。
【０１５７】
図４１（ｃ）乃至図４１（ｅ）は、６個の周波数リソースから４個を選択する種々の変形例を示す図である。図４１（ｃ）乃至図４１（ｅ）の実施例のそれぞれにおいて、周波数シフトした３通りのパターンを定義でき、それぞれのパターンは、種々の基準によって選択されるとよい。
【０１５８】
一方、ＣＳＩ−ＲＳの位置を決定するに当たり、ＤＲＳ（ＬＴＥリリーズ８、９、１０で定義されるＤＲＳを包括する。すなわち、図３９のＵ及びＤ）の位置しているＯＦＤＭシンボルにおいて、ＤＲＳの位置以外の残りＲＥにＣＳＩ−ＲＳを配置することを考慮することができる。そのため、一般ＣＰの場合は、ＯＦＤＭシンボルインデックス３、５、６、９、１０、１２及び１３が用いられることが可能である。ＯＦＤＭシンボルインデックス９及び１０にＣＳＩ−ＲＳを配置することは、前述した実施例で説明したので、以下では、一般ＣＰの場合に、ＤＲＳ（Ｄ）の位置するＯＦＤＭシンボルインデックス５、６、１２及び１３にＣＳＩ−ＲＳが配置される場合について説明する。
【０１５９】
図４２（ａ）には、既存ＬＴＥ標準（ＬＴＥリリーズ８）で定義されるＤＲＳ（図３９のＵ）の周波数シフト（Ｖｓｈｉｆｔ）によるＣＳＩ−ＲＳパターンを示す。ＤＲＳ（Ｕ）は、セル識別子（Ｃｅｌｌ  ＩＤ）に基づいて０、１または２副搬送波だけ周波数シフトする。一方、ＬＴＥリリーズ９、１０で定義するＤＲＳ（すなわち、図３９のＤ）の位置は固定される。
【０１６０】
ＣＳＩ−ＲＳは、ＤＲＳ（Ｄ）の配置されるＯＦＤＭシンボル内に位置するが、ＤＲＳ（Ｕ及びＤ）の配置される周波数位置以外のＲＥに配置することができる。ＣＤＭを考慮して、隣接している２  ＯＦＤＭシンボルを対としてＣＳＩ−ＲＳを構成できる。この場合、１  ＯＦＤＭシンボルでは２個または４個の周波数位置を選択することができる。
【０１６１】
１  ＯＦＤＭシンボルにおいて２個の周波数位置が選択される場合に、ＯＦＤＭシンボルインデックス５、６、１２及び１３でそれぞれ２個ずつの周波数位置にＣＳＩ−ＲＳが配置され、図４２（ｂ）にその一例を示す。図４３（ａ）及び４３（ｂ）は、ＣＳＩ−ＲＳパターンにおいて周波数位置を異ならせた変形例である。
【０１６２】
ＣＳＩ−ＲＳの配置のために１  ＯＦＤＭシンボルから２個の周波数位置が選択される場合、総４個のＯＦＤＭシンボルがＣＳＩ−ＲＳパターンのために用いられる。この場合、ＣＳＩ−ＲＳパターンに従って設定されるＲＥにマッピングされるアンテナポートは、任意の周波数単位に変更可能である。例えば、奇数番号を有するリソースブロックでは、前から２  ＯＦＤＭシンボル（ＯＦＤＭシンボルインデックス５及び６）にアンテナポート０、１、２、３がマッピングされ、後から２  ＯＦＤＭシンボル（ＯＦＤＭシンボルインデックス１２及び１３）にアンテナポート４、５、６、７がマッピングされることが可能である。また、偶数番号を有するリソースブロックでは、前から２  ＯＦＤＭシンボル（ＯＦＤＭシンボルインデックス５及び６）にアンテナポート４、５、６、７がマッピングされ、後から２  ＯＦＤＭシンボル（ＯＦＤＭシンボルインデックス１２及び１３）にアンテナポート０、１、２、３がマッピングされることが可能である。ただし、マッピングされるアンテナポートインデックスとアンテナポートがスワップ（ｓｗａｐ）する周波数単位は例示的なもので、他の方式のアンテナポートマッピング関係及びスワップする周波数単位にしてもよい。
【０１６３】
１  ＯＦＤＭシンボルから４個の周波数位置が選択される場合、ＯＦＤＭシンボル５及び６にＣＳＩ−ＲＳが配置される実施例は、図４４（ａ）の通りである。１  ＯＦＤＭシンボルから４個の周波数位置が選択される場合、ＯＦＤＭシンボル１２及び１３にＣＳＩ−ＲＳが配置される実施例は、図４４（ｂ）の通りである。
【０１６４】
上述の実施例において、ＡＡ、ＢＢ、ＣＣそしてＤＤは、直交コードが適用される単位を意味する。直交コードにはウォルシュコードなどを用いることができる。アンテナポートまたはアンテナポートグループは、図中のＡ乃至Ｄにマッピングできる。８伝送アンテナ、４伝送アンテナ、２伝送アンテナの場合に、マッピング関係は、前述の表１に従うとよい。
【０１６５】
また、上述の実施例において、ＣＳＩ−ＲＳは、ＣＲＳと同様の方式で周波数シフト可能である。すなわち、ＣＳＩ−ＲＳはセル別に周波数シフト可能である。
【０１６６】
次に、拡張されたＣＰの場合におけるＣＳＩ−ＲＳ位置について説明する。
【０１６７】
ＣＳＩ−ＲＳを配置可能な時間領域上の位置を決定するに当たり、ＣＲＳ、ＤＲＳ（ＬＴＥリリーズ９、１０で定義されるＤＲＳ、すなわち、図３９のＤ）及びＰＤＣＣＨの含まれるＯＦＤＭシンボルを排除するとすれば、拡張されたＣＰの場合は、ＯＦＤＭシンボルインデックス８のみをＣＳＩ−ＲＳ割当のために用いることができる。連続する２  ＯＦＤＭシンボル上でＣＳＩ−ＲＳを配置するためにＯＦＤＭシンボルインデックス７及び８を用いることができる。
【０１６８】
図４５（ａ）には、ＯＦＤＭシンボルインデックス７及び８を用いる場合にＣＳＩ−ＲＳが配置されるパターンを示す。ＣＳＩ−ＲＳは、ＣＲＳまたはＤＲＳ（Ｕ）が位置しないＲＥに配置することができる。ＣＳＩ−ＲＳは、ＣＲＳ及びＬＴＥリリーズ８で定義されるＤＲＳ（Ｕ）のようにセル別に周波数シフトできる。図４５（ａ）のＡ乃至Ｄにはアンテナポートまたはアンテナポートグループをマッピングでき、その対応関係は、前述した表１に従うとよい。
【０１６９】
または、拡張されたＣＰの場合に、ＣＲＳが支援する伝送アンテナ個数を２に制限（ｒｅｓｔｒｉｃｔｉｏｎ）し、２伝送アンテナのためのＣＲＳ（図６のＲ０、Ｒ１）のみが割り当てられるとすることもできる。この場合、ＣＲＳ（図６のＲ２、Ｒ３）の割り当てられるＲＥを再使用してＣＳＩ−ＲＳが割り当てられてもよい。
【０１７０】
一方、ＣＳＩ−ＲＳの位置を決定するに当たり、ＤＲＳ（ＬＴＥリリーズ８、９、１０で定義されるＤＲＳを包括する。すなわち、図３９のＵ及びＤ）の位置しているＯＦＤＭシンボルにＣＳＩ−ＲＳを配置することを考慮することができる。そのため、拡張されたＣＰの場合に、ＯＦＤＭシンボルインデックス４、５、１０及び１１を用いることができる。
【０１７１】
ＯＦＤＭシンボルインデックス４、５、１０及び１１のうちの２個または４個のＯＦＤＭシンボルをＣＳＩ−ＲＳ割当のために用いることができる。
【０１７２】
２個のＯＦＤＭシンボルが選択される場合、各１  ＯＦＤＭシンボルで４個の周波数位置にＣＳＩ−ＲＳを配置することができる。図４５（ｂ）は、ＯＦＤＭシンボルインデックス４及び５が選択される場合を、図４５（ｃ）は、ＯＦＤＭシンボルインデックス１０及び１１が選択される場合を示している。図４５（ｂ）及び図４５（ｃ）において、１  ＯＦＤＭシンボルにおいて４個の周波数位置がＣＳＩ−ＲＳのために割り当てられ、その間隔は２副搬送波に設定することができる。図４５（ｂ）及び（ｃ）のＣＳＩ−ＲＳパターンは、１副搬送波だけ周波数シフトできる。周波数シフトしたＣＳＩ−ＲＳパターンは、セル別に用いられることが可能である。ただし、図４５（ｂ）及び（ｃ）のそれぞれの場合においてＤＲＳ（Ｄ）伝送が要求されるので、周波数シフトしたパターンは２種類のみ用いられるように制限し、少なくともＤＲＳが１  ＯＦＤＭシンボルにおいて４周波数位置以上で伝送されるようにすることができる。
【０１７３】
４個のＯＦＤＭシンボルが選択される場合、１  ＯＦＤＭシンボルで２個の周波数位置にＣＳＩ−ＲＳを配置することができる。図４５（ｄ）は、ＯＦＤＭシンボルインデックス４、５、１０及び１１におけるＣＳＩ−ＲＳパターンの一例を示し、図４５（ｅ）は、図４５（ｄ）におけるパターンが周波数シフトした実施例を示している。
【０１７４】
図４５において、アンテナポートまたはアンテナポートグループは、図中のＡ乃至Ｄにマッピングできる。８伝送アンテナ、４伝送アンテナ、２伝送アンテナの場合に、マッピング関係は、前述の表１に従うとよい。
【０１７５】
（実施例５）
本実施例５では、上述の実施例１乃至４に適用可能なＣＳＩ−ＲＳパターンの具体的な例について説明する。
【０１７６】
図４６（ａ）では、２  ＯＦＤＭシンボル上でＣＳＩ−ＲＳが総８ＲＥに配置される例を示している。ＣＳＩ−ＲＳのための８個のＲＥを、２  ＯＦＤＭシンボル上で、各ＯＦＤＭシンボルに４個のＲＥずつ配置することができる。１  ＯＦＤＭシンボル上の４個のＲＥは、２個の連続するＲＥを配置し、４副搬送波だけ離隔して残り２個の連続するＲＥを配置することができる。
【０１７７】
デューティサイクル１でＣＳＩ−ＲＳが伝送される場合に、１  サブフレーム内に８伝送アンテナに対するＣＳＩ−ＲＳを全部割り当てることがある。アンテナポートインデックス０乃至７に対するＣＳＩ−ＲＳが伝送される場合に、例えば、図４６（ａ）のＣＳＩ−ＲＳ１には、アンテナポートインデックス０及び１がＣＤＭ−Ｔ方式で割り当てられ、ＣＳＩ−ＲＳ２には、アンテナポートインデックス２及び３がＣＤＭ−Ｔ方式で割り当てられ、ＣＳＩ−ＲＳ３には、アンテナポートインデックス４及び５がＣＤＭ−Ｔ方式で割り当てられ、ＣＳＩ−ＲＳ４には、アンテナポートインデックス６及び７がＣＤＭ−Ｔ方式で割り当てられることが可能である。
【０１７８】
また、図４６（ｂ）及び（ｃ）に示すように、図４６（ａ）のＣＳＩ−ＲＳパターンは周波数シフト可能である。これを、図４６（ａ）のようなＣＳＩ−ＲＳパターンの周波数位置の始点がオフセットによって移動可能であるとも表現することができる。例えば、このようなオフセット値は、１乃至８副搬送波の値を有することができ、セルまたはセルグループ別に決定されるとよい。図４６（ｂ）は、４６（ａ）の例示から、及び４６（ｃ）は４６（ｂ）の例示から２副搬送波だけ周波数シフトすることを示す図である。
【０１７９】
また、ＣＳＩ−ＲＳパターンは、セル−特定周波数シフト値を有することができる。例えば、セル−特定周波数シフト値は２副搬送波でよい。すなわち、３個のセルでＣＳＩ−ＲＳの周波数位置が同一ＯＦＤＭシンボル上で互いに重ならないように配置できる。例えば、第１のセルは図４６（ａ）のＣＳＩ−ＲＳパターンを用い、第２のセルは図４６（ｂ）のＣＳＩ−ＲＳパターンを用い、第３のセルは図４６（ｃ）のＣＳＩ−ＲＳパターンを用いることができる。
【０１８０】
一方、図４６（ａ）に示すＣＳＩ−ＲＳパターンが割り当てられるＯＦＤＭシンボルは、前述の実施例で説明した様々な時間位置に対応することができる。例えば、図４６（ａ）ＣＳＩ−ＲＳパターンが割り当てられるＯＦＤＭシンボルは、一般ＣＰの場合に、ＯＦＤＭシンボルインデックス９及び１０に割り当てられてもよく（図４７（ａ））、一般ＣＰの場合に、ＯＦＤＭシンボルインデックス８及び１０に割り当てられてもよい（図４７（ｂ））。前述したように、図４７のＣＳＩ−ＲＳパターンが２副搬送波間隔で周波数シフトしたＣＳＩ−ＲＳパターンは、他のセルで用いられてもよく、３個のセルでＣＳＩ−ＲＳパターンが重ならないように用いられればよい。
【０１８１】
次に、図４８（ａ）では、２  ＯＦＤＭシンボル上でＣＳＩ−ＲＳが総８ＲＥに配置される他の例を示す。ＣＳＩ−ＲＳのための８個のＲＥを、２  ＯＦＤＭシンボル上で、各ＯＦＤＭシンボルに４個のＲＥずつ配置することができる。１  ＯＦＤＭシンボル上の４個のＲＥはそれぞれ、２副搬送波だけ離隔して配置することができる。
【０１８２】
デューティサイクル１でＣＳＩ−ＲＳが伝送される場合、１  サブフレーム内に８伝送アンテナに対するＣＳＩ−ＲＳを全部割り当てることができる。アンテナポートインデックス０乃至７に対するＣＳＩ−ＲＳが伝送される場合に、例えば、図４６（ａ）のＣＳＩ−ＲＳ１にはアンテナポートインデックス０及び１がＣＤＭ−Ｔ方式で割り当てられ、ＣＳＩ−ＲＳ２にはアンテナポートインデックス２及び３がＣＤＭ−Ｔ方式で割り当てられ、ＣＳＩ−ＲＳ３にはアンテナポートインデックス４及び５がＣＤＭ−Ｔ方式で割り当てられ、ＣＳＩ−ＲＳ４にはアンテナポートインデックス６及び７がＣＤＭ−Ｔ方式で割り当てられることが可能である。
【０１８３】
また、図４８（ｂ）及び（ｃ）に示すように、図４８（ａ）のＣＳＩ−ＲＳパターンは周波数シフト可能である。これを、図４８（ａ）のようなＣＳＩ−ＲＳパターンの周波数位置の始点がオフセットによって移動可能であるとも表現できる。例えば、このようなオフセット値は、１乃至８副搬送波の値を有することができ、セルまたはセルグループ別に決定されるとよい。図４８（ｂ）は図４８（ａ）の例示から、及び４８（ｃ）は図４８（ｂ）の例示から１副搬送波だけ周波数シフトすることを示している。
【０１８４】
また、ＣＳＩ−ＲＳパターンは、セル−特定周波数シフト値を有することができる。例えば、セル−特定周波数シフト値は１副搬送波でよい。すなわち、３個のセルでＣＳＩ−ＲＳの周波数位置が同一ＯＦＤＭシンボル上で互いに重ならないように配置できる。例えば、第１のセルは図４８（ａ）のＣＳＩ−ＲＳパターンを用い、第２のセルは図４８（ｂ）のＣＳＩ−ＲＳパターンを用い、第３のセルは図４８（ｃ）のＣＳＩ−ＲＳパターンを用いることができる。
【０１８５】
一方、図４８（ａ）に示すＣＳＩ−ＲＳパターンの割り当てられるＯＦＤＭシンボルは、上述の実施例で説明した様々な時間位置に対応することができる。例えば、図４６（ａ）ＣＳＩ−ＲＳパターンが割り当てられるＯＦＤＭシンボルは、拡張されたＣＰの場合に、ＯＦＤＭシンボルインデックス７及び８に割り当てられることが可能である（図４９）。前述したように、図４８のＣＳＩ−ＲＳパターンが周波数シフトしたＣＳＩ−ＲＳパターンは、他のセルで用いられてもよく、３個のセルでＣＳＩ−ＲＳパターンが重ならないように用いられればよい。
【０１８６】
図５０は、本発明に係る基地局装置及び端末装置を含む無線通信システムの好適な実施例の構成を示す図である。
【０１８７】
基地局装置（ｅＮＢ）５０１０は、受信モジュール５０１１、伝送モジュール５０１２、プロセッサ５０１３、メモリー５０１４及びアンテナ５０１５を含むことができる。受信モジュール５０１１は、各種の信号、データ、情報などを端末などから受信することができる。伝送モジュール５０１２は、各種の信号、データ、情報などを端末などに伝送することができる。プロセッサ０１３は、受信モジュール５０１１、伝送モジュール５０１２、メモリー５０１４及びアンテナ５０１５を含む基地局装置５０１０の全般動作を制御するように構成できる。アンテナ５０１５は、複数個のアンテナで構成することができる。
【０１８８】
プロセッサ５０１３は、一般ＣＰの構成を有するダウンリンクサブフレームのデータ領域上に、８以下のアンテナポートに対するチャネル状態情報参照信号（ＣＳＩ−ＲＳ）を所定のパターンに従ってマッピングし、この８以下のアンテナポートに対するＣＳＩ−ＲＳがマッピングされているダウンリンクサブフレームを伝送するように制御できる。
【０１８９】
プロセッサ５０１３は、その他にも、端末装置が受信した情報、外部に伝送する情報などを演算処理する機能を果たし、メモリー５０１４は、演算処理された情報などを所定時間記憶することができ、バッファー（図示せず）などの構成要素に代替可能である。
【０１９０】
一方、端末装置（ＵＥ）５０２０は、受信モジュール５０２１、伝送モジュール５０２２、プロセッサ５０２３及びメモリー５０２４を含むことができる。受信モジュール５０２１は、各種の信号、データ、情報などを基地局などから受信することができる。伝送モジュール５０２２は、各種の信号、データ、情報などを基地局などに伝送することができる。プロセッサ５０２３は、受信モジュール５０２１、伝送モジュール５０２２、メモリー５０２４及びアンテナ５０２５を含む端末装置５０２０の全般動作を制御するように構成できる。アンテナ５０２５は、複数個のアンテナで構成できる。
【０１９１】
プロセッサ５０２３は、一般ＣＰ構成を有するダウンリンクサブフレームのデータ領域上で所定のパターンに従ってマッピングされた、８以下のアンテナポートに対するチャネル状態情報参照信号を受信し、該チャネル状態情報参照信号を用いてチャネルを推定するように制御できる。
【０１９２】
プロセッサ５０３３は、その他にも、端末装置が受信した情報、外部に伝送する情報などを演算処理する機能を果たし、メモリー５０３４は、演算処理された情報などを所定時間記憶することができ、バッファー（図示せず）などの構成要素に代替可能である。
【０１９３】
基地局装置５０１０からＣＳＩ−ＲＳを伝送し、これを端末装置５０２０で受信してチャネルを推定するに当たって共通に適用される事項について説明する。
【０１９４】
ＣＳＩ−ＲＳのマッピングされる所定のパターンはあらかじめ決定されて、基地局装置５０１０及び端末装置５０２０で共有することができる。この所定のパターンは、８以下のアンテナポートに対するＣＳＩ−ＲＳが、ダウンリンクサブフレームのデータ領域上の２  ＯＦＤＭシンボル上にマッピングされ、この２  ＯＦＤＭシンボルのいずれか一ＯＦＤＭシンボルで４個の副搬送波位置のうちの一つ以上にマッピングされると定義できる。該所定のパターンで定義する４個の副搬送波位置は、連続する２個の副搬送波位置及び４副搬送波だけ離隔している他の連続する２副搬送波位置でよい（図４７参照）。
【０１９５】
また、プロセッサがＣＳＩ−ＲＳを所定のパターンに従ってマッピングするに当たって、２  ＯＦＤＭシンボルは、ＯＦＤＭシンボルインデックス５及び６、ＯＦＤＭシンボルインデックス９及び１０、ＯＦＤＭシンボルインデックス１２及び１３、またはＯＦＤＭシンボルインデックス８及び１０でよい。また、この２  ＯＦＤＭシンボルがＯＦＤＭシンボルインデックス５及び６、またはＯＦＤＭシンボルインデックス１２及び１３の場合に、４個の副搬送波位置は、副搬送波インデックス２、３、８及び９であり、２  ＯＦＤＭシンボルがＯＦＤＭシンボルインデックス９及び１０、またはＯＦＤＭシンボルインデックス８及び１０の場合に、４個の副搬送波位置は、副搬送波インデックス０、１、６及び７、副搬送波インデックス２、３、８及び９、または副搬送波インデックス４、５、１０及び１１でよい（図４４及び４７参照）。
【０１９６】
また、プロセッサがＣＳＩ−ＲＳを所定のパターンに従ってマッピングするに当たり、４個の副搬送波位置は、セルまたはセルグループ別に２副搬送波だけシフトされてもよい（図４６参照）。また、プロセッサがＣＳＩ−ＲＳを所定のパターンに従ってマッピングするに当たり、ＣＳＩ−ＲＳは２  ＯＦＤＭシンボルにわたって直交コードを用いてコード分割多重化（ＣＤＭ）されてもよい（図４６参照）。また、プロセッサがＣＳＩ−ＲＳを所定のパターンに従ってマッピングするに当たり、基地局のアンテナポートの個数が２または４の場合に、所定のパターンで定義する位置の一部にＣＳＩ−ＲＳがマッピングされてもよい（上記の入れ子（ｎｅｓｔｅｄ）特性）。
【０１９７】
上記の本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【０１９８】
ハードウェアによる具現の場合、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【０１９９】
ファームウェアやソフトウェアによる具現の場合、本発明の実施例に係る方法は、以上で説明された機能または動作を行うモジュール、手順または関数などの形態とすることができる。ソフトウェアコードはメモリーユニットに記憶し、プロセッサで駆動することができる。メモリーユニットは、プロセッサの内部または外部に設けられて、既に公知の様々な手段によりプロセッサとデータを授受することができる。
【０２００】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。例えば、当業者は、上記の実施例に記載された各構成を互いに組み合わせる方式で用いることができる。したがって、本発明は、ここに開示されている実施形態に制限されるものではなく、ここに開示されている原理及び新規な特徴と一致する最も広い範囲を与えるためのものである。
【０２０１】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成したり、出願後の補正により新しい請求項として含めることができる。
【産業上の利用可能性】
【０２０２】
上記の本発明の実施形態は、種々の移動通信システムに適用可能である。
【図１】
2013502139.tif 000006
【図２】
2013502139.tif 000007
【図３】
2013502139.tif 000008
【図４】
2013502139.tif 000009
【図５】
2013502139.tif 000010
【図６】
2013502139.tif 000011
【図７】
2013502139.tif 000012
【図８】
2013502139.tif 000013
【図９】
2013502139.tif 000014
【図１０】
2013502139.tif 000015
【図１１】
2013502139.tif 000016
【図１２】
2013502139.tif 000017
【図１３】
2013502139.tif 000018
【図１４】
2013502139.tif 000019
2013502139.tif 000020
【図１５】
2013502139.tif 000021
【図１６】
2013502139.tif 000022
【図１７】
2013502139.tif 000023
【図１８】
2013502139.tif 000024
【図１９】
2013502139.tif 000025
【図２０】
2013502139.tif 000026
【図２１】
2013502139.tif 000027
【図２２】
2013502139.tif 000028
【図２３】
2013502139.tif 000029
【図２４】
2013502139.tif 000030
【図２５】
2013502139.tif 000031
【図２６】
2013502139.tif 000032
【図２７】
2013502139.tif 000033
【図２８】
2013502139.tif 000034
【図２９】
2013502139.tif 000035
【図３０】
2013502139.tif 000036
【図３１】
2013502139.tif 000037
【図３２】
2013502139.tif 000038
【図３３】
2013502139.tif 000039
【図３４】
2013502139.tif 000040
【図３５】
2013502139.tif 000041
【図３６】
2013502139.tif 000042
【図３７】
2013502139.tif 000043
【図３８（ａ）】
2013502139.tif 000044
【図３８（ｂ）】
2013502139.tif 000045
【図３８（ｃ）】
2013502139.tif 000046
【図３８（ｄ）】
2013502139.tif 000047
【図３８（ｅ）】
2013502139.tif 000048
【図３８（ｆ）】
2013502139.tif 000049
【図３８（ｇ）】
2013502139.tif 000050
【図３８（ｈ）】
2013502139.tif 000051
【図３９】
2013502139.tif 000052
【図４０】
2013502139.tif 000053
【図４１】
2013502139.tif 000054
【図４２】
2013502139.tif 000055
【図４３】
2013502139.tif 000056
【図４４】
2013502139.tif 000057
【図４５】
2013502139.tif 000058
【図４６】
2013502139.tif 000059
【図４７】
2013502139.tif 000060
【図４８】
2013502139.tif 000061
【図４９】
2013502139.tif 000062
【図５０】
2013502139.tif 000063
【手続補正書】
【提出日】平成24年2月15日(2012.2.15)
【手続補正１】
【補正対象書類名】明細書
【補正対象項目名】００２３
【補正方法】変更
【補正の内容】
【００２３】
本発明について上述した一般的な説明と後述する詳細な説明はいずれも例示的なもので、請求項に記載の発明についてのさらなる説明のためのものである。
（項目１）
基地局が８以下のアンテナポートに対するチャネル状態情報参照信号を伝送する方法であって、
拡張されたサイクリックプレフィックス（ＣＰ）構成を有するダウンリンクサブフレームのデータ領域上に、前記８以下のアンテナポートに対するチャネル状態情報参照信号を所定のパターンに従ってマッピングし、
前記８以下のアンテナポートに対するチャネル状態情報参照信号がマッピングされた前記ダウンリンクサブフレームを伝送すること、
を含み、
前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル状態情報参照信号伝送方法。
（項目２）
前記所定のパターンで定義する前記２  ＯＦＤＭシンボルは、ＯＦＤＭシンボルインデックス４及び５、ＯＦＤＭシンボルインデックス７及び８、またはＯＦＤＭシンボルインデックス１０及び１１である、項目１に記載のチャネル状態情報参照信号伝送方法。
（項目３）
前記所定のパターンで定義する前記４個の副搬送波位置は、セルまたはセルグループ別に１または２副搬送波だけシフトする、項目１に記載のチャネル状態情報参照信号伝送方法。
（項目４）
前記チャネル状態情報参照信号は、前記２  ＯＦＤＭシンボルにわたって直交コードを用いてコード分割多重化（ＣＤＭ）される、項目１に記載のチャネル状態情報参照信号伝送方法。
（項目５）
前記基地局のアンテナポートの個数が２または４の場合に、前記所定のパターンで定義する位置の一部に前記チャネル状態情報参照信号がマッピングされる、項目１に記載のチャネル状態情報参照信号伝送方法。
（項目６）
前記２  ＯＦＤＭシンボルがＯＦＤＭシンボルインデックス４及び５の場合に、前記４個の副搬送波位置は、副搬送波インデックス０、３、６及び９、または副搬送波インデックス２、５、８及び１１であり、
前記２  ＯＦＤＭシンボルがＯＦＤＭシンボルインデックス７及び８の場合に、前記４個の副搬送波位置は、副搬送波インデックス０、３、６及び９、副搬送波インデックス１、４、７及び１０、または副搬送波インデックス２、５、８及び１１であり、
前記２  ＯＦＤＭシンボルがＯＦＤＭシンボルインデックス１０及び１１の場合に、前記４個の副搬送波位置は、副搬送波インデックス１、４、７及び１０、または副搬送波インデックス２、５、８及び１１である、項目２に記載のチャネル状態情報参照信号伝送方法。
（項目７）
前記８以下のアンテナポートに対するチャネル状態情報参照信号は、２個のアンテナポートに対するチャネル状態情報参照信号が一つのグループを構成して総４個のグループを形成し、
前記４個のグループのそれぞれにおいて２個のアンテナポートに対するチャネル状態情報参照信号は、前記２  ＯＦＤＭシンボル上の同一の副搬送波位置においてコード分割多重化（ＣＤＭ）方式で多重化され、
前記４個のグループのそれぞれは、互いに異なる副搬送波位置において周波数分割多重化（ＦＤＭ）方式で多重化される、項目１に記載のチャネル状態情報参照信号伝送方法。
（項目８）
端末が基地局からの８以下のアンテナポートに対するチャネル状態情報参照信号を用いてチャネルを推定する方法であって、
前記８以下のアンテナポートに対するチャネル状態情報参照信号が所定のパターンに従ってデータ領域上にマッピングされた、拡張されたサイクリックプレフィックス（ＣＰ）構成を有するダウンリンクサブフレームを受信し、
前記チャネル状態情報参照信号を用いてチャネルを推定すること、
を含み、
前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル推定方法。
（項目９）
前記所定のパターンで定義する前記２  ＯＦＤＭシンボルは、ＯＦＤＭシンボルインデックス４及び５、ＯＦＤＭシンボルインデックス７及び８、またはＯＦＤＭシンボルインデックス１０及び１１である、項目８に記載のチャネル推定方法。
（項目１０）
前記所定のパターンで定義する前記４個の副搬送波位置は、セルまたはセルグループ別に１または２副搬送波だけシフトする、項目８に記載のチャネル推定方法。
（項目１１）
前記チャネル状態情報参照信号は、前記２  ＯＦＤＭシンボルにわたって直交コードを用いてコード分割多重化（ＣＤＭ）される、項目８に記載のチャネル推定方法。
（項目１２）
前記基地局のアンテナポートの個数が２または４の場合に、前記所定のパターンで定義する位置の一部に前記チャネル状態情報参照信号がマッピングされる、項目８に記載のチャネル推定方法。
（項目１３）
前記２  ＯＦＤＭシンボルがＯＦＤＭシンボルインデックス４及び５の場合に、前記４個の副搬送波位置は、副搬送波インデックス０、３、６及び９、または副搬送波インデックス２、５、８及び１１であり、
前記２  ＯＦＤＭシンボルがＯＦＤＭシンボルインデックス７及び８の場合に、前記４個の副搬送波位置は、副搬送波インデックス０、３、６及び９、副搬送波インデックス１、４、７及び１０、または副搬送波インデックス２、５、８及び１１であり、
前記２  ＯＦＤＭシンボルがＯＦＤＭシンボルインデックス１０及び１１の場合に、前記４個の副搬送波位置は、副搬送波インデックス１、４、７及び１０、または副搬送波インデックス２、５、８及び１１である、項目９に記載のチャネル推定方法。
（項目１４）
前記８以下のアンテナポートに対するチャネル状態情報参照信号は、２個のアンテナポートに対するチャネル状態情報参照信号が一つのグループを構成して総４個のグループを形成し、
前記４個のグループのそれぞれにおいて２個のアンテナポートに対するチャネル状態情報参照信号は、前記２  ＯＦＤＭシンボル上の同一の副搬送波位置においてコード分割多重化（ＣＤＭ）方式で多重化され、
前記４個のグループのそれぞれは、互いに異なる副搬送波位置において周波数分割多重化（ＦＤＭ）方式で多重化される、項目８に記載のチャネル推定方法。
（項目１５）
８以下のアンテナポートに対するチャネル状態情報参照信号を伝送する基地局であって、
端末からアップリンク信号を受信する受信モジュールと、
前記端末にダウンリンク信号を伝送する伝送モジュールと、
前記受信モジュール及び前記伝送モジュールを含む前記基地局を制御するプロセッサと、
を含み、
前記プロセッサは、
拡張されたサイクリックプレフィックス（ＣＰ）構成を有するダウンリンクサブフレームのデータ領域上に、前記８以下のアンテナポートに対するチャネル状態情報参照信号を所定のパターンに従ってマッピングし、
前記伝送モジュールを介して、前記８以下のアンテナポートに対するチャネル状態情報参照信号がマッピングされた前記ダウンリンクサブフレームを伝送するように制御し、
前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル状態情報参照信号伝送基地局。
（項目１６）
基地局からの８以下のアンテナポートに対するチャネル状態情報参照信号を用いてチャネルを推定する端末であって、
前記基地局からダウンリンク信号を受信する受信モジュールと、
前記基地局にアップリンク信号を伝送する伝送モジュールと、
前記受信モジュール及び前記伝送モジュールを含む前記基地局を制御するプロセッサと、
を含み、
前記プロセッサは、
前記受信モジュールを介して、前記８以下のアンテナポートに対するチャネル状態情報参照信号が所定のパターンに従ってデータ領域上にマッピングされた、拡張されたサイクリックプレフィックス（ＣＰ）構成を有するダウンリンクサブフレームを受信し、
前記チャネル状態情報参照信号を用いてチャネルを推定するように制御し、
前記所定のパターンは、前記８以下のアンテナポートに対するチャネル状態情報参照信号が、前記ダウンリンクサブフレームの前記データ領域上の２  ＯＦＤＭシンボル上にマッピングされ、前記２  ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル推定端末。
【手続補正２】
【補正対象書類名】特許請求の範囲
【補正対象項目名】全文
【補正方法】変更
【補正の内容】
【特許請求の範囲】
【請求項１】
基地局が８以下のアンテナポートに対するチャネル状態情報参照信号を伝送する方法であって、
拡張されたサイクリックプレフィックス（ＣＰ）構成を有するダウンリンクサブフレームのデータ領域上に、前記８以下のアンテナポートに対するチャネル状態情報参照信号を所定のパターンに従ってマッピングし、
前記８以下のアンテナポートに対するチャネル状態情報参照信号がマッピングされた前記ダウンリンクサブフレームを伝送すること、
を含み、
前記所定のパターンは、前記８以下のアンテナポートに対するチャネル状態情報参照信号が、前記ダウンリンクサブフレームの前記データ領域上の２ＯＦＤＭシンボル上にマッピングされ、前記２ ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル状態情報参照信号伝送方法。
【請求項２】
前記所定のパターンで定義する前記２ＯＦＤＭシンボルは、ＯＦＤＭシンボルインデックス４及び５、ＯＦＤＭシンボルインデックス７及び８、またはＯＦＤＭシンボルインデックス１０及び１１である、請求項１に記載のチャネル状態情報参照信号伝送方法。
【請求項３】
前記所定のパターンで定義する前記４個の副搬送波位置は、セルまたはセルグループ別に１または２副搬送波だけシフトする、請求項１に記載のチャネル状態情報参照信号伝送方法。
【請求項４】
前記チャネル状態情報参照信号は、前記２ＯＦＤＭシンボルにわたって直交コードを用いてコード分割多重化（ＣＤＭ）される、請求項１に記載のチャネル状態情報参照信号伝送方法。
【請求項５】
前記基地局のアンテナポートの個数が２または４の場合に、前記所定のパターンで定義する位置の一部に前記チャネル状態情報参照信号がマッピングされる、請求項１に記載のチャネル状態情報参照信号伝送方法。
【請求項６】
前記２ ＯＦＤＭシンボルがＯＦＤＭシンボルインデックス４及び５の場合に、前記４個の副搬送波位置は、副搬送波インデックス０、３、６及び９、または副搬送波インデックス２、５、８及び１１であり、
前記２ ＯＦＤＭシンボルがＯＦＤＭシンボルインデックス７及び８の場合に、前記４個の副搬送波位置は、副搬送波インデックス０、３、６及び９、副搬送波インデックス１、４、７及び１０、または副搬送波インデックス２、５、８及び１１であり、
前記２ ＯＦＤＭシンボルがＯＦＤＭシンボルインデックス１０及び１１の場合に、前記４個の副搬送波位置は、副搬送波インデックス１、４、７及び１０、または副搬送波インデックス２、５、８及び１１である、請求項２に記載のチャネル状態情報参照信号伝送方法。
【請求項７】
前記８以下のアンテナポートに対するチャネル状態情報参照信号は、２個のアンテナポートに対するチャネル状態情報参照信号が一つのグループを構成して総４個のグループを形成し、
前記４個のグループのそれぞれにおいて２個のアンテナポートに対するチャネル状態情報参照信号は、前記２ＯＦＤＭシンボル上の同一の副搬送波位置においてコード分割多重化（ＣＤＭ）方式で多重化され、
前記４個のグループのそれぞれは、互いに異なる副搬送波位置において周波数分割多重化（ＦＤＭ）方式で多重化される、請求項１に記載のチャネル状態情報参照信号伝送方法。
【請求項８】
端末が基地局からの８以下のアンテナポートに対するチャネル状態情報参照信号を用いてチャネルを推定する方法であって、
前記８以下のアンテナポートに対するチャネル状態情報参照信号が所定のパターンに従ってデータ領域上にマッピングされた、拡張されたサイクリックプレフィックス（ＣＰ）構成を有するダウンリンクサブフレームを受信し、
前記チャネル状態情報参照信号を用いてチャネルを推定すること、
を含み、
前記所定のパターンは、前記８以下のアンテナポートに対するチャネル状態情報参照信号が、前記ダウンリンクサブフレームの前記データ領域上の２ＯＦＤＭシンボル上にマッピングされ、前記２ ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル推定方法。
【請求項９】
前記所定のパターンで定義する前記２ＯＦＤＭシンボルは、ＯＦＤＭシンボルインデックス４及び５、ＯＦＤＭシンボルインデックス７及び８、またはＯＦＤＭシンボルインデックス１０及び１１である、請求項８に記載のチャネル推定方法。
【請求項１０】
前記所定のパターンで定義する前記４個の副搬送波位置は、セルまたはセルグループ別に１または２副搬送波だけシフトする、請求項８に記載のチャネル推定方法。
【請求項１１】
前記チャネル状態情報参照信号は、前記２ＯＦＤＭシンボルにわたって直交コードを用いてコード分割多重化（ＣＤＭ）される、請求項８に記載のチャネル推定方法。
【請求項１２】
前記基地局のアンテナポートの個数が２または４の場合に、前記所定のパターンで定義する位置の一部に前記チャネル状態情報参照信号がマッピングされる、請求項８に記載のチャネル推定方法。
【請求項１３】
前記２ ＯＦＤＭシンボルがＯＦＤＭシンボルインデックス４及び５の場合に、前記４個の副搬送波位置は、副搬送波インデックス０、３、６及び９、または副搬送波インデックス２、５、８及び１１であり、
前記２ ＯＦＤＭシンボルがＯＦＤＭシンボルインデックス７及び８の場合に、前記４個の副搬送波位置は、副搬送波インデックス０、３、６及び９、副搬送波インデックス１、４、７及び１０、または副搬送波インデックス２、５、８及び１１であり、
前記２ ＯＦＤＭシンボルがＯＦＤＭシンボルインデックス１０及び１１の場合に、前記４個の副搬送波位置は、副搬送波インデックス１、４、７及び１０、または副搬送波インデックス２、５、８及び１１である、請求項９に記載のチャネル推定方法。
【請求項１４】
前記８以下のアンテナポートに対するチャネル状態情報参照信号は、２個のアンテナポートに対するチャネル状態情報参照信号が一つのグループを構成して総４個のグループを形成し、
前記４個のグループのそれぞれにおいて２個のアンテナポートに対するチャネル状態情報参照信号は、前記２ＯＦＤＭシンボル上の同一の副搬送波位置においてコード分割多重化（ＣＤＭ）方式で多重化され、
前記４個のグループのそれぞれは、互いに異なる副搬送波位置において周波数分割多重化（ＦＤＭ）方式で多重化される、請求項８に記載のチャネル推定方法。
【請求項１５】
８以下のアンテナポートに対するチャネル状態情報参照信号を伝送する基地局であって、
端末からアップリンク信号を受信する受信モジュールと、
前記端末にダウンリンク信号を伝送する伝送モジュールと、
前記受信モジュール及び前記伝送モジュールを含む前記基地局を制御するプロセッサと、
を含み、
前記プロセッサは、
拡張されたサイクリックプレフィックス（ＣＰ）構成を有するダウンリンクサブフレームのデータ領域上に、前記８以下のアンテナポートに対するチャネル状態情報参照信号を所定のパターンに従ってマッピングし、
前記伝送モジュールを介して、前記８以下のアンテナポートに対するチャネル状態情報参照信号がマッピングされた前記ダウンリンクサブフレームを伝送するように制御し、
前記所定のパターンは、前記８以下のアンテナポートに対するチャネル状態情報参照信号が、前記ダウンリンクサブフレームの前記データ領域上の２ＯＦＤＭシンボル上にマッピングされ、前記２ ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル状態情報参照信号伝送基地局。
【請求項１６】
基地局からの８以下のアンテナポートに対するチャネル状態情報参照信号を用いてチャネルを推定する端末であって、
前記基地局からダウンリンク信号を受信する受信モジュールと、
前記基地局にアップリンク信号を伝送する伝送モジュールと、
前記受信モジュール及び前記伝送モジュールを含む前記端末を制御するプロセッサと、
を含み、
前記プロセッサは、
前記受信モジュールを介して、前記８以下のアンテナポートに対するチャネル状態情報参照信号が所定のパターンに従ってデータ領域上にマッピングされた、拡張されたサイクリックプレフィックス（ＣＰ）構成を有するダウンリンクサブフレームを受信し、
前記チャネル状態情報参照信号を用いてチャネルを推定するように制御し、
前記所定のパターンは、前記８以下のアンテナポートに対するチャネル状態情報参照信号が、前記ダウンリンクサブフレームの前記データ領域上の２ＯＦＤＭシンボル上にマッピングされ、前記２ ＯＦＤＭシンボルのそれぞれにおいて４個の副搬送波位置の一つ以上にマッピングされることを定義し、
前記所定のパターンで定義する前記４個の副搬送波位置は、３副搬送波間隔で配置される、チャネル推定端末。
【国際調査報告】
2013502139.tif 000064
2013502139.tif 000065
2013502139.tif 000066
2013502139.tif 000067